(57)【特許請求の範囲】
【請求項１】
印刷機能付き通信装置であって、
近距離通信により第１の携帯端末と画像読取機能付き通信装置との通信が確立し、前記第１の携帯端末と第２の携帯端末との通信が確立し、且つ、近距離通信により自印刷機能付き通信装置と前記第２の携帯端末との通信が確立した場合に、
前記画像読取機能付き通信装置が、自印刷機能付き通信装置に対して画像データを送信するために用いる情報を、前記第１の携帯端末及び前記第２の携帯端末を介して前記画像読取機能付き通信装置に送信し、
自印刷機能付き通信装置にて印刷する画像データを、前記画像読取機能付き通信装置から受信した画像データに限定し、
自印刷機能付き通信装置のユーザから所定の操作を受け付けたならば、この受け付けを契機として、印刷する画像データに関する前記限定を解除することを特徴とする印刷機能付き通信装置。
【請求項２】
請求項１に記載の印刷機能付き通信装置であって、
前記画像読取機能付き通信装置を特定するために用いる情報を、前記第１の携帯端末及び前記第２の携帯端末を介して前記画像読取機能付き通信装置から取得し、
受信した画像データの送信元を表す情報が、前記画像読取機能付き通信装置を特定するために用いる情報が表す情報と対応するのならば、前記画像読取機能付き通信装置から送信された画像データであると判断することを特徴とする印刷機能付き通信装置。
【請求項３】
請求項１に記載の印刷機能付き通信装置であって、
前記第１の携帯端末を特定するために用いる情報の前記第２の携帯端末を介した前記第１の携帯端末からの取得、及び前記第２の携帯端末を特定するために用いる情報の前記第２の携帯端末からの取得、の何れか又は双方の取得を行い、
画像データと共に受信した情報が、第１の携帯端末を特定するために用いる情報及び前記第２の携帯端末を特定するために用いる情報の内の前記取得した情報と対応するならば、前記画像読取機能付き通信装置から送信された画像データであると判断することを特徴とする印刷機能付き通信装置。
【請求項４】
請求項１乃至３の何れか１項に記載の印刷機能付き通信装置であって、
前記画像読取機能付き通信装置から受信した画像データを、ユーザからの操作を要することなく印刷することを特徴とする印刷機能付き通信装置。
【発明の詳細な説明】
【技術分野】
【０００１】
本発明は、通信を行なうための、通信装置、携帯端末、通信システム及び通信プログラムに関する。
【背景技術】
【０００２】
携帯端末のユーザが相手先の携帯端末のユーザと通信を行うことにより、所定の手続きを行うことが広く行われている。例えば、例えば携帯端末のユーザである顧客が、相手先の携帯端末のユーザである旅行会社やイベント会社に対して携帯端末間による通信を利用して音声通信を行なうことにより旅行やイベントのチケットを予約するようなことが行われている。
【０００３】
しかしながら予約の際には、時刻表やパンフレット等を参照して必要な情報を入手することに手間取ったりキーボード入力に手間取ったりするという問題や、誤入力により不要なチケットを予約してしまうといった問題が生じる。
【０００４】
このような問題を解決するべく、旅行会社に直接電話をしてチケットを手配してもらうことも考えられる。しかしながら、旅行会社に直接電話をした場合には、文書等を参照した確認ができないため、聞き間違いによる誤発注が生じる可能性がある。
【０００５】
そこで、このような誤発注を防ぐために、電話をしながら、ファクシミリ（ＦＡＸ：facsimile）や電子メール（Ｅ−ｍａｉｌ：Electronic mail）で必要書類を送ることもできる。しかしこの場合には、宛名などを記載したヘッドレターを書く必要があり手間がかかる。また、送信先の番号や送信先のメールアドレスを誤入力してしまい、誤った送信先に送信されてしまうようなこともあり得る。
【０００６】
このような種々の問題点を解決するための技術が、例えば特許文献１乃至特許文献３に記載されている。
【０００７】
この点、特許文献１（特開２００６−２４４５０４号公報）には、遠隔地にある携帯端末を介して音声映像を双方向に送ると同時に、文書などの画像データを双方向に送れる会議システムが記載されている。このような会議システムを活用することにより、文書などの画像データを交換すること自体は容易にできる。しかし特許文献１に記載の会議システムは、画像データの保管場所としてアクセス可能なサーバを、話し相手が変わるたびに設定する手間や、文書などの画像データを受信する際の操作に手間がかかるという欠点もある。
【０００８】
他方で、特許文献２（特表２００４−５０２３４７号公報）や特許文献３（国際公開第２００５／０５３２９８号）には、メールアドレスやファックス番号などの入力操作を行うことなく、電話中の話し相手に画像データを送信できる通信システムが記載されている。
【先行技術文献】
【特許文献】
【０００９】
【特許文献１】特開２００６−２４４５０４号公報
【特許文献２】特表２００４−５０２３４７号公報
【特許文献３】国際公開第２００５／０５３２９８号
【発明の概要】
【発明が解決しようとする課題】
【００１０】
上述した特許文献２や特許文献３に記載の通信システムを用いることにより、送信先の番号や送信先のメールアドレスを誤入力してしまい、誤った送信先に送信されてしまうような事態を防止できる。
【００１１】
しかしながら、特許文献２や特許文献３に記載の通信システムにおいて、或る通話相手と通話中に、かかる或る通話相手以外の第三者から画像が送られてくると、その間、かかる或る通話相手とは画像データの送受信ができなくなるという問題が生じる。また、第三者から送られた画像を、かかる或る通話相手から送られた画像と取り違えるという問題が生じる。そして、これらの問題があることから円滑なコミュニケーションが阻害されてしまうという課題がある。
【００１２】
そこで、本発明は上記課題に鑑み、音声通話等の通信中の相手に対してドキュメント画像を送る際や、音声通話等の通信中の相手からドキュメント画像を受け取る際に、簡単な操作で確実にドキュメント画像の受け渡しが行える、通信装置、携帯端末、通信システム及び通信プログラムを提供することを目的とする。
【課題を解決するための手段】
【００１３】
本発明の第１の観点によれば、画像読取機能付き通信装置であって、近距離通信により自画像読取機能付き通信装置と第１の携帯端末との通信が確立し、前記第１の携帯端末と第２の携帯端末との通信が確立し、且つ、近距離通信により前記第２の携帯端末と印刷機能付き通信装置との通信が確立した場合に、自画像読取機能付き通信装置が、前記印刷機能付き装置に対して画像データを送信するために用いる情報を、前記第１の携帯端末及び前記第２の携帯端末を介して前記印刷機能付き通信装置から取得することを特徴とする画像読取機能付き通信装置が提供される。
【００１４】
本発明の第２の観点によれば、印刷機能付き通信装置であって、近距離通信により前記第１の携帯端末と画像読取機能付き通信装置との通信が確立し、前記第１の携帯端末と第２の携帯端末との通信が確立し、且つ、近距離通信により自印刷機能付き通信装置と前記第２の携帯端末との通信が確立した場合に、前記画像読取機能付き通信装置が、自印刷機能付き通信装置に対して画像データを送信するために用いる情報を、前記第１の携帯端末及び前記第２の携帯端末を介して前記画像読取機能付き通信装置に送信することを特徴とする印刷機能付き通信装置が提供される。
【００１５】
本発明の第３の観点によれば、携帯端末であって、近距離通信により自携帯端末と第１の通信装置との通信が確立し、自携帯端末と通信先携帯端末との通信が確立し、且つ、近距離通信により前記通信先携帯端末と第２の信装置との通信が確立した場合に、前記第１の通信装置が、前記第２の通信装置にデータを送信するために用いる第１の通信装置に関する情報を、前記第１の通信装置から取得し、該取得した情報を前記通信先携帯端末を介して前記第２の通信装置に送信し、前記第１の通信装置が、前記第２の通信装置にデータを送信するために用いる第２の通信装置に関する情報を、前記通信先携帯端末を介して前記第２の通信装置から取得し、該取得した情報を前記第１の通信装置に送信することを特徴とする携帯端末が提供される。
【００１６】
本発明の第４の観点によれば、画像読取機能付き通信装置としてコンピュータを機能させるための通信プログラムであって、前記コンピュータを、近距離通信により自画像読取機能付き通信装置と第１の携帯端末との通信が確立し、前記第１の携帯端末と第２の携帯端末との通信が確立し、且つ、近距離通信により前記第２の携帯端末と印刷機能付き通信装置との通信が確立した場合に、自画像読取機能付き通信装置が、前記印刷機能付き装置に対して画像データを送信するために用いる情報を、前記第１の携帯端末及び前記第２の携帯端末を介して前記印刷機能付き通信装置から取得する画像読取機能付き通信装置として機能させることを特徴とする通信プログラムが提供される。
【００１７】
本発明の第５の観点によれば、印刷機能付き通信装置としてコンピュータを機能させるための通信プログラムであって、前記コンピュータを、近距離通信により前記第１の携帯端末と画像読取機能付き通信装置との通信が確立し、前記第１の携帯端末と第２の携帯端末との通信が確立し、且つ、近距離通信により自印刷機能付き通信装置と前記第２の携帯端末との通信が確立した場合に、前記画像読取機能付き通信装置が、自印刷機能付き通信装置に対して画像データを送信するために用いる情報を、前記第１の携帯端末及び前記第２の携帯端末を介して前記画像読取機能付き通信装置に送信する印刷機能付き通信装置として機能させることを特徴とする通信プログラムが提供される。
【００１８】
本発明の第６の観点によれば、画像読取機能付き通信装置と、印刷機能付き通信装置とを備えるシステムが行なう通信方法であって、近距離通信により前記画像読取機能付き通信装置と第１の携帯端末との通信が確立し、前記第１の携帯端末と第２の携帯端末との通信が確立し、且つ、近距離通信により前記第２の携帯端末と前記印刷機能付き通信装置との通信が確立した場合に、前記画像読取機能付き通信装置が、自画像読取機能付き通信装置が、前記印刷機能付き装置に対して画像データを送信するために用いる情報を、前記第１の携帯端末及び前記第２の携帯端末を介して前記印刷機能付き通信装置から取得し、前記印刷機能付き通信装置が、自印刷機能付き通信装置に対して画像データを送信するために用いる情報を、前記第１の携帯端末及び前記第２の携帯端末を介して前記画像読取機能付き通信装置に送信することを特徴とする通信方法が提供される。
【００１９】
本発明の第７の観点によれば、携帯端末としてコンピュータを機能させるための通信プログラムであって、前記コンピュータを、近距離通信により自携帯端末と第１の通信装置との通信が確立し、自携帯端末と通信先携帯端末との通信が確立し、且つ、近距離通信により前記通信先携帯端末と第２の信装置との通信が確立した場合に、前記第１の通信装置が、前記第２の通信装置にデータを送信するために用いる第１の通信装置に関する情報を、前記第１の通信装置から取得し、該取得した情報を前記通信先携帯端末を介して前記第２の通信装置に送信し、前記第１の通信装置が、前記第２の通信装置にデータを送信するために用いる第２の通信装置に関する情報を、前記通信先携帯端末を介して前記第２の通信装置から取得し、該取得した情報を前記第１の通信装置に送信する携帯端末として機能させることを特徴とする通信プログラムが提供される。
【発明の効果】
【００２０】
本発明によれば、音声通話等の通信中の相手に対してドキュメント画像を送る際や、音声通話等の通信中の相手からドキュメント画像を受け取る際に、簡単な操作で確実にドキュメント画像の受け渡しが行える。
【図面の簡単な説明】
【００２１】
【図１】本発明の第１実施例の基本的構成を表すブロック図である。
【図２−１】本発明の第１実施例における第１携帯端末の機能を表すブロック図である。
【図２−２】本発明の第１実施例における第１複合機の機能を表すブロック図である。
【図３】本発明の第１実施例の実装例を表すイメージ図である。
【図４−１】本発明の第１実施例の基本的動作を表すフローチャート（１／２）である。
【図４−２】本発明の第１実施例の基本的動作を表すフローチャート（２／２）である。
【図５】本発明の第１実施例における画面表示の例を表すイメージ図である。
【図６】本発明の第２実施例の基本的構成を表すブロック図である。
【図７−１】本発明の第２実施例における第１携帯端末の機能を表すブロック図である。
【図７−２】本発明の第２実施例における第１複合機の機能を表すブロック図である。
【図８−１】本発明の第２実施例の基本的動作を表すフローチャート（１／２）である。
【図８−２】本発明の第２実施例の基本的動作を表すフローチャート（２／２）である。
【図９】本発明の第３実施例の基本的構成を表すブロック図である。
【図１０−１】本発明の第３実施例における第１携帯端末の機能を表すブロック図である。
【図１０−２】本発明の第３実施例における第１複合機の機能を表すブロック図である。
【図１１−１】本発明の第３実施例の基本的動作を表すフローチャート（１／２）である。
【図１１−２】本発明の第３実施例の基本的動作を表すフローチャート（２／２）である。
【図１２】本発明の第４実施例の実装例を表すイメージ図である。
【図１３−１】本発明の第４実施例の基本的動作を表すフローチャート（１／２）である。
【図１３−２】本発明の第４実施例の基本的動作を表すフローチャート（２／２）である。
【図１４−１】本発明の第４実施例における画面表示の例を表すイメージ図（１／２）である。
【図１４−２】本発明の第４実施例における画面表示の例を表すイメージ図（２／２）である。
【図１５−１】本発明の実施例における、複合機が行なう複合機のアドレスによる認証について説明するブロック図である。
【図１５−２】本発明の実施例における、携帯端末が行なう複合機のアドレスによる認証について説明するブロック図である。
【図１５−３】本発明の実施例における、複合機が行なうユーザＩＤによる認証について説明するブロック図である。
【図１５−４】本発明の実施例における、携帯端末が行なうユーザＩＤによる認証について説明するブロック図である。
【発明を実施するための形態】
【００２２】
まず、本発明の実施形態の概略を説明する。本発明の実施形態は、概略、２台の携帯端末（例えば、スマートフォン）を用いるビデオ通話において、一方の、携帯端末にＮＦＣ（Near field communication）接続されたスキャナで読取られた画像データが、他方のスマートフォンにＮＦＣ接続されたプリンタに自動出力させるモードを設け、これにより、ビデオ通話時に、必要な印刷物を素早く、確実に通話相手に提供できるようにする、というものである。
【００２３】
次に、本発明の実施形態について図面を参照して詳細に説明する。
＜第１実施例＞
まず本発明の実施形態の一具体例である第１実施例について説明する。
【００２４】
図１は、第１実施例である通信システム全体の基本的構成を表す図である。図１を参照すると、本実施例は、第１携帯端末１０１、第１複合機２０１、第２携帯端末３０１及び第２複合機４０１を含む。
【００２５】
そして、第１携帯端末１０１と、第１複合機２０１とは近距離型の無線通信（ＮＦＣ：Near field communication）にて、相互に通信可能な状態にて接続されている。
【００２６】
また、同様に、第２携帯端末３０１と、第２複合機４０１とは近距離型の無線通信（ＮＦＣ）にて、相互に通信可能な状態にて接続されている。
【００２７】
更に、第１携帯端末１０１と、第２携帯端末３０１とはインターネット５００を介して相互に通信可能な状態にて接続されている。
【００２８】
また、第１複合機２０１と第２複合機４０１とはインターネット６００を介して相互に通信可能な状態にて接続されている。
【００２９】
ここで、各機器によるインターネットへの接続方法は特に限定されないが、本実施例では、第１携帯端末１０１と、第２携帯端末３０１とを接続するインターネット５００の経路のうちの一部におけるＯＳＩ参照モデルの第２層以下はＬＴＥ（Long Term Evolution）に準拠しているとする。
【００３０】
また、第１複合機２０１と第２複合機４０１とを接続するインターネット６００の経路のうちの一部におけるＯＳＩ参照モデルの第２層以下はＦＴＴＨ（Fiber To The Home）に準拠しているとする。
【００３１】
次に、各機器に含まれる機能ブロックの概略について説明する。
【００３２】
ここで、前提として、第１携帯端末１０１と、第２携帯端末３０１とは同等の機能ブロックを含んでいる。また、同様に第１複合機２０１と第２複合機４０１とは同等の機能ブロックを含んでいる。そのため、以下では、第１携帯端末１０１と、第１複合機２０１についてのみ説明をし、第２携帯端末３０１と第２複合機４０１については、説明を省略する。なお、第２携帯端末３０１と第２複合機４０１では、第１携帯端末１０１と、第１複合機２０１とに含まれている機能ブロックの名称を読み替える。例えば、第１携帯端末１０１に含まれている「第１・・・部」は、第２携帯端末３０１「第２・・・部」となる。同様に、第１携帯端末１０１に含まれている「第２・・・部」は、第２携帯端末３０１「第１・・・部」となる。これらの点は第１実施例以外の他の実施例においても共通する。
【００３３】
第１携帯端末１０１は、タッチパネル１１０、音声映像データ処理部１２０、携帯端末制御部１３０、無線通信制御部１４０及び近距離無線通信制御部１６０を含む。これらの各部は概略以下のようなものである。なお、これら各部の詳細な構成及び詳細な動作については、図２−１を参照して後述する。
【００３４】
タッチパネル１１０は、ユーザの操作を受け付けるためのタッチパネルである。また、タッチパネル１１０は、ユーザに対して各種情報を表示すると共に、画面表示によりユーザインタフェースを提供する。
【００３５】
音声映像データ処理部１２０は、ビデオ通話を実現するための処理を行う処理部である。具体的には、音声映像データ処理部１２０は、カメラやディスプレイ等を含む。
【００３６】
携帯端末制御部１３０は、第１携帯端末１０１に含まれる各部を制御する制御部であり、例えば、本実施例における処理を実現するためのプログラムと、演算処理装置及び記憶装置により実現される。
【００３７】
無線通信制御部１４０は、第２携帯端末３０１とのインターネット５００を介した通信を実現するための部分である。無線通信制御部１４０は例えば、ＬＴＥに準拠した通信を実行するための通信用のモジュールと、通信するデータを一時的に記憶する記憶装置により実現される。
【００３８】
近距離無線通信制御部１６０は、第１複合機２０１との近距離型の無線通信を実現するための部分である。近距離無線通信制御部１６０は例えば、ＮＦＣに準拠した通信を実行するための通信用のモジュールと、通信するデータを一時的に記憶する記憶装置により実現される。
【００３９】
第１複合機２０１は、操作パネル２１０、画像データ処理部２２０、複合機制御部２３０、通信制御部２４０及び近距離無線通信制御部２５０を含む。これらの各部は概略以下のようなものである。なお、これら各部の詳細な構成及び詳細な動作については、図２−２を参照して後述する。
【００４０】
操作パネル２１０は、ユーザの操作を受け付けるための操作パネルである。また、操作パネル２１０は、ユーザに対して各種情報を表示すると共に、画面表示によりユーザインタフェースを提供する。
【００４１】
画像データ処理部２２０は、紙媒体等の媒体から画像データを読み取るためのスキャナユニットを含む。また、画像データ処理部２２０は、画像データを紙媒体等の媒体に印刷するためのプリンタユニットを含む。
【００４２】
複合機制御部２３０は、第２複合機２０１に含まれる各部を制御する制御部であり、例えば、本実施例における処理を実現するためのプログラムと、演算処理装置及び記憶装置により実現される。
【００４３】
通信制御部２４０は、第２複合機４０１とのインターネット６００を介した通信を実現するための部分である。通信制御部２４０は例えば、ＦＴＴＨに準拠した通信を実行するための通信用のモジュールと、通信するデータを一時的に記憶する記憶装置により実現される。
【００４４】
近距離無線通信制御部２５０は、第１携帯端末１０１との近距離型の無線通信を実現するための部分である。近距離無線通信制御部２５０は例えば、ＮＦＣに準拠した通信を実行するための通信用のモジュールと、通信するデータを一時的に記憶する記憶装置により実現される。
【００４５】
なお、図１に表される各機器は、図示をした機能ブロック以外にも電源等の機能ブロックを含んでいるが、本実施例の要旨ではないため、図示を省略する。
【００４６】
続いて、第１携帯端末１０１の基本的構成を表す図である図２−１を参照して、第１携帯端末１０１及び第２携帯端末３０１に含まれる各機能ブロックについてより詳細に説明する。なお、図２−１、２−２、７−１、７−２、１０−１及び１０−２において実線の矢印はデータの送受信を表し、破線の矢印は制御部による制御が行われることを表すものとする。
【００４７】
図２−１を参照すると、タッチパネル１１０は携帯端末制御部１３０に接続される。そして、タッチパネル１１０が受け付けたユーザの操作は携帯端末制御部１３０に送信される。
【００４８】
また、図２−１を参照すると、音声映像データ処理部１２０は、カメラ１２１、送信映像データ変換部１２２、ディスプレイ１２３、受信映像データ変換部１２４、マイク１２５、送信音声データ変換部１２６、スピーカ１２７及び受信音声データ変換部１２８を含む。
【００４９】
これら各部の詳細について説明する。カメラ１２１により撮像を行う。撮像対象は、例えば第１携帯端末１０１のユーザの顔である。撮像された画像は、送信映像データ変換部１２２により、ＩＳＯ／ＩＥＣ  ＪＴＣ  １により標準化された規格であるＭＰＥＧ（Moving Picture Experts Group）などのファイルフォーマットに準拠したデジタル映像データに変換（圧縮処理を含む）され、無線通信制御部１４０に出力される。
【００５０】
一方で、通信相手から受信したＭＰＥＧなどのファイルフォーマットのデジタル映像データ信号は、受信画像データ変換部１２４によってディスプレイに出力される信号に変換され、ディスプレイ１２３へ出力される。そして、ディスプレイ１２３は、受信映像データ変換部１２４から入力される信号に基づいて映像をユーザに対して出力する。
【００５１】
また、マイク１２５によりユーザのアナログ音声を集音する。集音されたユーザのアナログ音声信号は、送信音声データ変換部１２６によりＩＳＯ／ＩＥＣ  ＪＴＣ  １により標準化された規格であるＭＰ３（MPEG-1/2 Audio Layer-3）などのファイルフォーマットに準拠したデジタル音声データに変換（圧縮処理を含む）され、無線通信制御部１４０に出力される。
【００５２】
一方で、通信相手から受信したＭＰ３などのファイルフォーマットのデジタル音声データ信号は、受信音声データ変換部１２８によってアナログ音声信号に変換され、スピーカ１２７へ出力される。そして、スピーカ１２７は、受信音声データ変換部１２８から入力されるアナログ音声信号に基づいた音声としてユーザに対して出力する。
【００５３】
なお、タッチパネル１１０と音声映像データ処理部１２０のディスプレイを一体化してタッチパネルディスプレイとするようにしても良い。この場合、ディスプレイ１２３は例えば液晶ディスプレイにより実現され、タッチパネルタッチパネル１１０は、その液晶ディスプレイの表面に設けられる。
【００５４】
また、ディスプレイ１２３は、携帯端末制御部１３０の制御に応じて操作用の操作キーやアイコン等を表示することにより、ユーザに対してユーザインタフェースを提供する。
【００５５】
更に、図２−１に表される携帯端末制御部携帯端末制御部１３０は、上述したように第１携帯端末１０１内の各機能ブロックを制御する。
【００５６】
なお、携帯端末制御部携帯端末制御部１３０を含む第１携帯端末１０１内の各機能ブロックの各々は、ハードウェアにより実現しても良いが、演算処理装置がソフトウェアに基づいた演算処理を行うことによりハードウェアを制御して実現するようにしても良い。
【００５７】
更に、図２−１を参照すると、無線通信制御部１４０は、第１アドレスデータ記憶部１４１、第１アドレスデータ送信部１４２、第２アドレスデータ記憶部１４３、第２アドレスデータ受信部１４４、送信映像データ記憶部１４５、映像データ送信部１４６、受信映像データ記憶部１４７、映像データ受信部１４８、送信音声データ記憶部１４９、音声データ送信部１５０、受信音声データ記憶部１５１及び音声データ受信部１５２を含む。
【００５８】
第１アドレスデータ記憶部１４１は、近距離無線通信制御部１６０から入力された第１アドレスデータを一時的に記憶し、その後、記憶した第１アドレスを近距離無線通信制御部１６０に出力する。
【００５９】
ここで、第１アドレスデータとは、第２複合機４０１がインターネット６００を介して第１複合機２０１へデータを送信するためのデータである。具体的には第１アドレスデータは、第１複合機２０１のＩＰアドレスや、第１複合機２０１のメールアドレスである。なお、後述する第２アドレスデータも、第１アドレスデータと同等であり、例えば第２アドレスデータは、第２複合機４０１のＩＰアドレスや、第２複合機４０１のメールアドレスである。
【００６０】
第１アドレスデータ送信部１４２は、第１アドレスデータ記憶部１４１が記憶した第１アドレスを、インターネット５００を介して、第２携帯端末３０１に対して送信する。
【００６１】
第２アドレスデータ記憶部１４３は、下記の第２アドレスデータ受信部１４４が受信した第２アドレスを一時的に記憶し、その後、記憶した第２アドレスを近距離無線通信制御部１６０に出力する。
【００６２】
第２アドレスデータ受信部１４４は、インターネット５００を介して、第２携帯端末３０１から第２アドレスデータを受信する。
【００６３】
送信映像データ記憶部１４５は、音声映像データ処理部１２０から入力されたデジタル映像データを一次的に記憶する。
【００６４】
映像データ送信部１４６は、送信映像データ記憶部１４５が記憶したデジタル映像データをＩＴＵ−Ｔ(International Telecommunication Union Telecommunication Standardiation Sector)により策定されたプロトコルであるＨ．３２３等の通信プロトコルを用いて、インターネット５００を介して第２携帯端末３０１に対して送信する。
【００６５】
受信映像データ記憶部１４７は、下記の映像データ受信部１４８が受信したデジタル映像データを一時的に記憶し、その後、記憶した映像データを音声映像データ処理部１２０に出力する。
【００６６】
映像データ受信部１４８は、インターネット５００を介して、第２携帯端末３０１からデジタル映像データを受信する。
【００６７】
これら通信制御部無線通信制御部１４０に含まれる各送信部の送信先及び受信元はインターネット５００に接続する何れかの機器であり、例えば、第２携帯端末３０１である。
【００６８】
そして、第１複合機１０１は上述した各部の動作により第２携帯端末３０１との間で音声データ及び映像データを送受信することが可能となる。
【００６９】
なお、無線通信制御部１４０に含まれる各送受信部は、インターネット以外の手段により通信可能に接続されていても良い。また、各送受信部が異なる通信プロトコルに準拠して送受信を行うようにしても良い。そのため、各送受信部が送信先を特定するために使用する識別子として異なるものを使用することもあり得る。
【００７０】
更に、図２−１を参照すると近距離無線通信制御部１６０は、第２アドレスデータ記憶部１６１、第２アドレスデータ送信部１６２、第１アドレスデータ記憶部１６３及び第１アドレスデータ受信部１６４を含む。これら各部の詳細について説明する。
【００７１】
第２アドレスデータ記憶部１６１は、無線通信制御部１４０から入力された第１アドレスデータを一時的に記憶し、その後、記憶した第２アドレスを第２アドレスデータ送信部１６２に対して出力する。
【００７２】
第２アドレスデータ送信部１６２は、第２アドレスデータ記憶部１６１が記憶した第２アドレスを、近距離無線通信方式に準拠して第１複合機２０１に対して出力する。
【００７３】
第１アドレスデータ記憶部１６３は、下記の第１アドレスデータ受信部１６４が受信した第１アドレスを一時的に記憶し、その後、記憶した第１アドレスを無線通信制御部１４０に出力する。
【００７４】
第１アドレスデータ受信部１６４は、近距離無線通信方式に準拠して第１の複合機２０１から第１アドレスデータを受信する。
【００７５】
そして、第１複合機１０１は上述した各部の動作により第１複合機２０１との間で第１アドレスデータ及び第２アドレスデータを送受信することが可能となる。
【００７６】
続いて、第１複合機２０１の基本的構成を表す図である図２−２を参照して、第１複合機２０１及び第２複合機４０１に含まれる各機能ブロックについてより詳細に説明する。
【００７７】
図２−２を参照すると、操作パネル２１０は複合機制御部２３０に接続される。そして、操作パネル２１０が受け付けたユーザの操作は複合機制御部２３０に送信される。
【００７８】
また、図２−２を参照すると、画像データ処理部２２０は、第２アドレスデータ受信部２２１、第２アドレスデータ記憶部２２２、第１アドレスデータ送信部２２３及び第１アドレスデータ記憶部２２４を含む。これら各部の詳細について説明する。
【００７９】
第２アドレスデータ受信部２２１は、近距離無線通信方式に準拠して第１の携帯端末１０１から第２アドレスデータを受信する。
【００８０】
第２アドレスデータ記憶部２２２は、第２アドレスデータ受信部２２１が受信した第２アドレスを一時的に記憶し、その後、記憶した第２アドレスを近距離無線通信制御部２５０に出力する。
【００８１】
第１アドレスデータ送信部２２３は、下記の第１アドレスデータ記憶部２２４が記憶した第１アドレスを、近距離無線通信方式に準拠して第１携帯端末１０１に対して出力する。
【００８２】
第１アドレスデータ記憶部２２４は、第１アドレスデータを記憶しており、記憶している第１アドレスを第１アドレスデータ送信部２２３に対して出力する。
【００８３】
そして、第１複合機２０１は上述した各部の動作により第１複合機１０１との間で第１アドレスデータ及び第２アドレスデータを送受信することが可能となる。
【００８４】
更に、図２−２を参照すると、画像データ処理部２４０は、スキャナユニット２４１及びプリンタユニット２４２を含む。
【００８５】
スキャナユニット２４１は、画像読取部２４１−１及び送信画像データ変換部２４１−２を含む。画像読取部２４１−１は、ユーザの操作等に応じて紙等の媒体上の画像をスキャンすることにより媒体上の画像を読み取みとり、画像データとして送信画像データ変換部２４１−２に対して出力する。
【００８６】
送信画像データ変換部２４１−２は、画像読取部２４１−１から入力される画像データをＪＰＥG（Joint Photographic Experts Group）データ等のファイルフォーマットに準拠したデジタル画像データに変換（圧縮処理を含む）し、通信制御部２５０及びプリンタユニット２４２の何れか又は双方に出力する。
【００８７】
更に、図２−２を参照すると、プリンタユニット２４２は、画像形成部２４２−１及び受信画像データ変換部２４２−２を含む。
【００８８】
受信画像データ変換部２４２−２は、送信画像データ変換部２４１や受信画像データ記憶部２５３から入力されたＪＰＥGデータなどのファイルフォーマットに準拠しているデジタル画像データをプリンタ用画像データに変換し、画像形成部２４２−１に対して出力する。かかるプリンタ用画像データは、ページ記述言語（ＰＤＬ：page description language、プリンタ言語とも呼ばれる）により記述される。
【００８９】
画像形成部２４２−１は、受信画像データ変換部２４２−２から入力されたプリンタ用画像データに基づいて紙等の媒体上にトナー画像を形成する。
【００９０】
また、通信制御部２５０は、送信画像データ記憶部２５１、画像データ送信部２５２、受信画像データ記憶部２５３及び画像データ受信部２５４を含む。
【００９１】
送信画像データ記憶部２５１は、２４０から入力されたデジタル画像データを一次的に記憶し、記憶したデジタル画像データを画像データ送信部２５２に出力する。
【００９２】
画像データ送信部２５２は、送信画像データ記憶部２５１が記憶したデジタル画像データをＨ．３２３等の通信プロトコルを用いて、インターネット６００を介して第２の複合機４０１に対して送信する。
【００９３】
受信画像データ記憶部２５３は、下記の画像データ受信部２５４が受信したデジタル画像データを一時的に記憶し、その後、記憶した画像データを２４０に出力する。
【００９４】
画像データ受信部２５４は、インターネット６００を介して、第２複合機４０１からデジタル画像データを受信する。
【００９５】
そして、第１複合機２０１は上述した各部の動作により第２複合機４０１との間で画像データを送受信することが可能となる。
【００９６】
また、図２−２では図示をしていないが、第１複合機２０１は例えば社内等に設置されたＬＡＮ（Local Area Network）に接続するようにしても良い。そして、かかるＬＡＮ経由で他の機器（例えばパーソナルコンピュータ）から例えば画像データを受信して、受信した画像データを印刷するようにしても良い。
【００９７】
続いて、図４−１及び図４−２のフローチャート並びに図３及び図５に表されるイメージ図を参照して本実施例の動作について詳細に説明する。
【００９８】
ここで本実施例では、第１携帯端末１０１と第１複合機２０１の近距離無線通信、第１携帯端末１０１と第２携帯端末３０１のインターネット５００を介した通信、及び、第２携帯端末３０１と第２複合機４０１の近距離無線通信が確立している状態を「全通信確立状態」と呼ぶ。
【００９９】
そして、全通信確立状態にあるときは、各機器は占有接続モードとなる。具体的には、第１複合機２０１と第２複合機４０１がインターネット６００を使用して画像データを送受信することにより、第２複合機４０１にてスキャンした画像データを第１複合機２０１で印刷する。のみならず、第１複合機２０１で印刷する画像データは、第２複合機４０１にてスキャンした画像データに限定する。また、第１複合機２０１と第２複合機４０１がインターネット６００を使用して画像データを送受信することにより、第２複合機４０１にてスキャンした画像データを第１複合機２０１で印刷する。のみならず、第２複合機４０１で印刷する画像データは、第１複合機２０１にてスキャンした画像データに限定する。
【０１００】
こうすることにより、ビデオ通話をしている通信相手がスキャンした画像データを手元の複合機にて印刷することができる。更に、他の画像データの印刷を行わないことから、色々な送信元からの画像データが印刷されてしまうことが防止できる。つまり、通話相手からの画像データを確実に相手に届けられると共に、複数の送信元からの画像データが混ざって印刷されてしまうようなことが防止できる。
【０１０１】
なお、本実施例の実現例の一例が、図４に表されている。図４を参照すると、第１複合機２０１や第２複合機４０１の実現例としてプリンタとスキャナが一体となった複合機が表されている。また、かかる複合機には近距離無線通信部が設けられている。また、第１携帯端末１０１や第２携帯端末３０１の実現例として携帯端末が表されている。かかる携帯端末は例えばスマートフォンにより実現される。
【０１０２】
そして、かかる携帯端末は複合機に設けられた端末設置台に設置される。そして、携帯端末は複合機の近距離無線通信部と近距離無線通信を行う。また、通話相手となる携帯端末とインターネットを介した通信（例えば、ビデオ通話）を行う。これにより、全通信確立状態となる。そして、全通信確立状態にあるときは、各機器は占有接続モードとなる。具体的には、スキャンキー（コピー／転送ボタン）が押下されると、スキャナにより画像が読み取られ、読み取られた画像は画像データに変換後、通話相手側の複合機のプリンタにより印刷される。
【０１０３】
次に、図３−１を参照して、第１携帯端末１０１と第１複合機２０１の動作について説明する。なお、今回は第１携帯端末１０１と第１複合機２０１を例に取って説明するが、第２携帯端末３０１及び第２複合機４０１も第１携帯端末１０１及び第１複合機２０１と同様の動作をするものとする。
【０１０４】
まず、第１複合機２０１をインターネット（ＦＴＴＨ）接続する（ステップＳ１０１）。次に第１複合機２０１は、第１複合機２０１と第１携帯端末１０１との近距離無線通信(ＮＦＣ)接続を確認する（ステップＳ１０２）。
【０１０５】
近距離無線通信(ＮＦＣ)で接続されている場合には（ステップＳ１０３においてＹｅｓ）、ステップＳ１０４に進む。一方で、近距離無線通信(ＮＦＣ)で接続されていない場合には（ステップＳ１０３においてＮｏ）、処理を終了する。
【０１０６】
他方で、第１携帯端末１０１を無線通信（ＬＴＥ）によりインターネット（ＬＴＥ）接続する（ステップＳ２０１）。次に第１携帯端末１０１は、第１複合機２０１と第１携帯端末１０１との近距離無線通信(ＮＦＣ)接続を確認する（ステップＳ２０２）。
【０１０７】
近距離無線通信(ＮＦＣ)で接続されている場合には（ステップＳ２０３においてＹｅｓ）、ステップＳ２０４に進む。一方で、近距離無線通信(ＮＦＣ)で接続されていない場合には（ステップＳ２０３においてＮｏ）、処理を終了する。
【０１０８】
ステップＳ１０４では第１複合機２０１が第１携帯端末１０１に対して、第１複合機２０１のアドレスを表すデータである第１アドレスデータ（例えば、IPアドレス／メールアドレス）を近距離無線通信(ＮＦＣ)で送信する（ステップＳ１０４）。ステップＳ２０４では、ステップＳ１０４で送信された第１アドレスデータを、第１携帯端末１０１が近距離無線通信(ＮＦＣ)で受信する。
【０１０９】
次に、第１携帯端末１０１と、第２携帯端末３０１は無線通信（ＬＴＥ）によりビデオ通話モードにて接続する（ステップＳ２０５）。ここで、ビデオ通話モードとは、各通信端末のユーザの画像及び音声を相互に送受信するモードである。そして、第１携帯端末１０１は、第２携帯端末３０１とビデオ通話モードで接続されると、かかる接続が確立された否かを表す情報である接続情報を第１複合機２０１に対して送信する。このステップＳ２０５において、第１携帯端末１０１のディスプレイ１２３に表示される情報の一例が、図５の左上に図示される。かかる画面には、通話相手である第２携帯端末３０１のユーザの画像と、「ビデオ通話中です」との案内及び各複合機と各携帯端末が近距離無線通信(ＮＦＣ)接続されているかを確認中であることを確認中であるとの案内が表示される。なお以下で説明する表示例に共通することだが、図５の各表示例のように、相手側のユーザの画像が視認可能なように各種情報を表示することが好ましい。そのため、相手側のユーザの画像に重畳しないように各種情報を表示することが好ましい。
【０１１０】
更に、第１携帯端末１０１は、第２携帯端末３０１が、第２複合機４０１と近距離無線通信(ＮＦＣ)接続されているかを確認する（ステップＳ２０６）。具体的には、第１携帯端末１０１が第２携帯端末３０１に問合せを行う。そして、その返信として、第２携帯端末３０１が第２複合機４０１と近距離無線通信(ＮＦＣ)接続されているか否かを表す情報である接続情報を受信する。そして、受信した接続情報の内容を参照することにより、第２携帯端末３０１が、第２複合機４０１と近距離無線通信(ＮＦＣ)接続されているかを確認する。また、第１携帯端末１０１は受信した接続情報を第１複合機２０１に転送する。
【０１１１】
近距離無線通信(ＮＦＣ)接続されていない場合には（ステップＳ２０７においてＮｏ）、第１携帯端末１０１はステップＳ２０２に戻り、再度処理を継続する。一方で、ビデオ通話モードで接続されている場合には（ステップＳ２０７においてＹｅｓ）、第１携帯端末１０１はステップＳ２０７に進む。
【０１１２】
第１複合機２０１は、第１携帯端末１０１と、第２携帯端末３０１がビデオ通話モードにて接続しているか否かを確認する。具体的には、ステップＳ２０５において送信された接続情報を参照することにより確認をする（ステップＳ１０５）。
【０１１３】
ビデオ通話モードで接続されていない場合には（ステップＳ１０６においてＮｏ）、第１複合機２０１はステップＳ１０２に戻り、再度処理を継続する。一方で、ビデオ通話モードで接続されている場合には（ステップＳ１０６においてＹｅｓ）、第１複合機２０１はステップＳ１０７に進む。
【０１１４】
ステップＳ１０７では、第１複合機２０１は、第２携帯端末３０１と、第２複合機４０１が近距離無線通信(ＮＦＣ)接続しているか否かを確認する。具体的には、ステップＳ２０６において送信された接続情報を参照することにより確認をする（ステップＳ１０７）。
【０１１５】
近距離無線通信(ＮＦＣ)接続されていない場合には（ステップＳ１０８においてＮｏ）、第１複合機２０１はステップＳ１０２に戻り、再度処理を継続する。一方で、ビデオ通話モードで接続されている場合には（ステップＳ１０８においてＹｅｓ）、第１複合機２０１はステップＳ１０９に進む。
【０１１６】
以上の動作により、第１携帯端末１０１と第１複合機２０１の近距離無線通信、第１携帯端末１０１と第２携帯端末３０１のインターネット５００を介した通信、及び、第２携帯端末３０１と第２複合機４０１の近距離無線通信が確立している状態である「全通信確立状態」となっていることを、第１携帯端末１０１及び第１複合機２０１は把握する。
【０１１７】
次に、図３−２を参照すると、第１携帯端末１０１は第２複合機４０１のアドレスを表す情報である第２アドレスデータ（例えば、IPアドレス／メールアドレス）を無線通信（ＬＴＥ）で第２携帯端末３０１から受信する（ステップＳ２０８）。
【０１１８】
そして、第１携帯端末１０１は、受信した第２アドレスデータを第１複合機２０１に転送する（ステップＳ２０９）。
【０１１９】
更に、第１携帯端末１０１は、ステップＳ２０４にて受信した第１アドレスデータを無線通信（ＬＴＥ）で第２携帯端末３０１に対して送信する（ステップＳ２１０）。
【０１２０】
これにより、第１複合機２０１にて読み取った画像データを第２複合機４０１にて印刷することが可能となったので、第１携帯端末１０１のディスプレイ１２３に表示される情報を切り替える。切り替え後の表示の一例が、図５の左下に図示される。かかる画面には、通話相手である第２携帯端末３０１のユーザの画像と、「原稿を送信できます」との案内及び原稿を送信する際の操作の説明が表示される。
【０１２１】
他方、第１複合機２０１は、第２複合機４０１のアドレスを表す情報である第２アドレスデータを第１携帯端末１０１から近距離無線通信(ＮＦＣ)で受信する（ステップＳ１０９）。
【０１２２】
次に、第１複合機２０１は、第１複合機２０１自身のスキャンキー（コピー／転送ボタン）が押下されたか否かを判定する（ステップＳ１１０）。なお、スキャンキー（コピー／転送ボタン）は、図２−２に表される操作パネル２１０により実現される。
【０１２３】
スキャンキー（コピー／転送ボタン）が押下されていない場合は（ステップＳ１１０においてＮｏ）、ステップＳ１１３に進む。一方で、スキャンキー（コピー／転送ボタン）が押下された場合は（ステップＳ１１０においてＹｅｓ）、ステップＳ１１１に進む。
【０１２４】
ステップＳ１１１では、スキャンキー（コピー／転送ボタン）の押下に応じてスキャナユニット２４１−１で読み取り、及び読み取り画像の変換を行うことによって得た画像データを、インターネット６００を介して第２複合機４０１に対して送信する（ステップＳ１１１）。
【０１２５】
また、ステップＳ１１１おける送信を行ったこと、つまり、スキャンすることによって得られた画像データが第２複合機４０１で送信中であることを示す信号である送信信号を第１携帯端末１０１に対して近距離無線通信(ＮＦＣ)で送信する（ステップＳ１１２）。
【０１２６】
ここで、第１携帯端末１０１は、第１複合機２０１から送信信号を受信したか否かを確認する（ステップＳ２１１）。
【０１２７】
送信信号を受信していない場合には（ステップＳ２１１においてＮｏ）、ステップＳ２１３に進む。一方で、送信信号を受信した場合には（ステップＳ２１１においてＹｅｓ）、第１複合機２０１でスキャンすることによって得られた画像データが第２複合機４０１に送信中であることを示すメッセージを第１携帯端末１０１のディスプレイ１２３に表示する。かかる表示の一例が図５の右上に表されている。本例では、原稿を送信中であることが文字により表されている。
【０１２８】
第１携帯端末１０１のユーザは、このようなメッセージを参照することにより、スキャンキー（コピー／転送ボタン）を押下して読み取らせた画像の画像データが第２複合機４０１に送信され、第２携帯端末３０１のユーザが参照可能となることが分かる。
【０１２９】
また、第１複合機２０１は、ステップＳ１１３において、第１複合機２０１がインターネット６００を介して、第２複合機４０１から送信された画像データを受信したか否かを判定する（ステップＳ１１３）。かかる判定では、画像データの送信元アドレスが第２アドレスデータにて表されるアドレスと一致していれば、第２複合機４０１から送信された画像データであると判定する。
【０１３０】
第２複合機４０１からの画像データが受信されていない場合は（ステップＳ１１４においてＮｏ）、ステップＳ１０２に戻って処理を継続する。一方で、第２複合機４０１からの画像データを受信した場合は（ステップＳ１１４においてＹｅｓ）、ステップＳ１１５に進む。
【０１３１】
ステップＳ１１５では、受信した第２複合機４０１からの画像データを第１複合機２０１自身の備えるプリンタユニット２４２にて紙等の媒体に印刷する。
【０１３２】
また、ステップＳ１１５における印刷を行ったこと、つまり、受信した第２複合機４０１からの画像データを印刷中であることを示す信号である送信信号を第１携帯端末１０１に対して近距離無線通信(ＮＦＣ)で送信する。そして、ステップＳ１０２に戻って処理を継続する。
【０１３３】
ここで、第１携帯端末１０１は、第１複合機２０１から受信信号を受信したか否かを確認する（ステップＳ２１３）。
【０１３４】
受信信号を受信していない場合には（ステップＳ２１３においてＮｏ）、ステップＳ２０２に戻って処理を継続する。一方で、受信信号を受信した場合には（ステップＳ２１３においてＹｅｓ）、受信した第２複合機４０１からの画像データを印刷中であることを示すメッセージを第１携帯端末１０１のディスプレイ１２３に表示する。かかる表示の一例が図５の右下に表されている。本例では、原稿を受信中であり、まもなく印刷されることが文字により表されている。
【０１３５】
第１携帯端末１０１のユーザは、このようなメッセージを参照することにより、第２携帯端末３０１のユーザが読み取らせた画像の画像データが２００１に送信され、第１携帯端末１０１のユーザが参照可能となることが分かる。
【０１３６】
以上説明した、本実施例では、全通信確立状態にあるときは、各機器は占有接続モードとなる。具体的には、第１複合機２０１と第２複合機４０１がインターネット６００を使用して画像データを送受信することにより、第２複合機４０１にてスキャンした画像データを第１複合機２０１で印刷する。のみならず、第１複合機２０１で印刷する画像データは、第２複合機４０１にてスキャンした画像データに限定する。また、第１複合機２０１と第２複合機４０１がインターネット６００を使用して画像データを送受信することにより、第２複合機４０１にてスキャンした画像データを第１複合機２０１で印刷する。のみならず、第２複合機４０１で印刷する画像データは、第１複合機２０１にてスキャンした画像データに限定する。
【０１３７】
こうすることにより、ビデオ通話をしている通信相手がスキャンした画像データを手元の複合機にて印刷することができる、という効果を奏する。更に、他の画像データの印刷を行わないことから、色々な送信元からの画像データが印刷されてしまうことが防止できる、という効果を奏する。つまり、通話相手からの画像データを確実に相手に届けられると共に、複数の送信元からの画像データが混ざって印刷されてしまうようなことが防止できる、という効果を奏する。
【０１３８】
＜第２実施例＞
次に、図６乃至図８−２を参照して第２実施例について説明をする。
図６は、第２実施例である通信システム全体の基本的構成を表す図である。図９を参照すると、本実施例は、第１携帯端末１０２、第１複合機２０２、第２携帯端末３０２及び第２複合機４０２を含む。
【０１３９】
ここで、第１携帯端末１０２、第１複合機２０２、第２携帯端末３０２及び第２複合機４０２それぞれの機能は、第１実施例の第１携帯端末１０１、第１複合機２０１、第２携帯端末３０１及び第２複合機４０１と概ね同等であるので、共通する部分に関しては説明を省略する。
【０１４０】
一方で、第２実施例では、第１実施例とは通信網の状況が異なる。具体的には、第１複合機２０２と第２複合機４０２は、インターネット６００を介するのではなく、第１携帯端末１０２及び第２携帯端末３０２を介して画像データを送受信する。よって、以下の説明では、この通信に関する点について重点的に説明をする。
【０１４１】
具体的には、第２実施例では、第１携帯端末１０２と、第１複合機２０２とは近距離型の無線通信（ＮＦＣ）にて、相互に通信可能な状態にて接続されている。
【０１４２】
また、同様に、第２携帯端末３０２と、第２複合機４０２とは近距離型の無線通信（ＮＦＣ）にて、相互に通信可能な状態にて接続されている。
【０１４３】
更に、第１携帯端末１０２と、第２携帯端末３０２とはインターネット５００を介して相互に通信可能な状態にて接続されている。
【０１４４】
また、第１複合機２０２と第２複合機４０２とは第１携帯端末１０２及び第２携帯端末３０２を介して画像データを送受信する。
【０１４５】
次に、図７−１を参照して第１携帯端末１０２の詳細な構成について説明する。第１携帯端末１０２は、第１実施例の構成に加えて、更に、無線通信制御部１４０が、送信画像データ記憶部１５３画像データ送信部１５４、受信画像データ記憶部１５５及び画像データ受信部１５６を含む。更に、近距離無線通信制御部１６０が、送信画像データ記憶部１６５画像データ送信部１６６、受信画像データ記憶部１６７及び画像データ受信部１６８を含む。
【０１４６】
送信画像データ記憶部１５３は、近距離無線通信制御部１６０から入力されたデジタル画像データを一次的に記憶する。
【０１４７】
画像データ送信部１５４は、送信画像データ記憶部１５３が記憶したデジタル画像データを、インターネット５００及び第２携帯端末３０２を介して第２複合機４０２に対して送信する。
【０１４８】
受信画像データ記憶部１５５は、下記の画像データ受信部１５６が受信したデジタル画像データを一時的に記憶し、その後、記憶した画像データを近距離無線通信制御部１６０に出力する。
【０１４９】
画像データ受信部１５６は、インターネット５００及び第２携帯端末３０２を介して、第２複合機４０２からデジタル画像データを受信する。
【０１５０】
送信画像データ記憶部１６５は、無線通信制御部１４０から入力されたデジタル画像データを一次的に記憶する。
【０１５１】
画像データ送信部１６６は、送信画像データ記憶部１６５が記憶したデジタル画像データを近距離無線通信（ＮＦＣ）にて、第１複合機２０２対して送信する。
【０１５２】
受信画像データ記憶部１６７は、下記の画像データ受信部１６８が受信したデジタル画像データを一時的に記憶し、その後、記憶した画像データを無線通信制御部１４０に出力する。
【０１５３】
画像データ受信部１６８は、近距離無線通信（ＮＦＣ）にて、第１複合機２０２からデジタル画像データを受信する。
【０１５４】
次に、図７−２を参照して第１複合機２０２の詳細な構成について説明する。第１複合機２０２は、第１実施例の構成と比較して、通信制御部２５０が削除されている。一方で、第１複合機２０２の近距離無線通信制御部２２０は、第１実施例の構成と比較して、更に、画像データ受信部２４５、受信画像データ記憶部２４６、画像データ送信部２４７及び送信画像データ記憶部２４８を含む。
【０１５５】
画像データ受信部２４５は、近距離無線通信（ＮＦＣ）にて、第１携帯端末１０２からデジタル画像データを受信する。
【０１５６】
受信画像データ記憶部２４６は、画像データ受信部２４５が受信した画像データを一時記憶し、その後、記憶した画像データを画像データ処理部２４０に出力する。画像データを受信した画像データ処理部２４０では、プリンタユニット２４２が、受信した画像データを変換し、紙等の媒体に印刷する。
【０１５７】
画像データ送信部２４７は、下記の送信画像データ記憶部２４８が記憶した画像データを近距離無線通信（ＮＦＣ）にて、第１携帯端末１０２に対して送信する。
【０１５８】
送信画像データ記憶部２４８は、画像データ処理部２４０から入力されたデジタル画像データを一次的に記憶し、その後、記憶した画像データを画像データ送信部２４７に出力する。画像データ処理部２４０から入力される画像データは、画像データ処理部２４０のスキャナユニット２４１が読み取り及び変換することにより生成された画像データである。
【０１５９】
次に、図８−１を参照して、第１携帯端末１０２と第１複合機２０２の動作について説明する。なお、今回は第１携帯端末１０２と第１複合機２０２を例に取って説明するが、第２携帯端末３０２及び第２複合機４０２も第１携帯端末１０２及び第１複合機２０２と同様の動作をするものとする。
【０１６０】
まず、第１複合機２０２は、第１実施例と異なり、インターネット（ＦＴＴＨ）へは接続されない。従って、第１実施例におけるステップＳ１０１に相当する処理は行わない。そして、第１複合機２０２は、第１複合機２０２と第１携帯端末１０２との近距離無線通信(ＮＦＣ)接続を確認する（ステップＳ３０１）。
【０１６１】
近距離無線通信(ＮＦＣ)で接続されている場合には（ステップＳ３０２においてＹｅｓ）、ステップＳ３０３に進む。一方で、近距離無線通信(ＮＦＣ)で接続されていない場合には（ステップＳ３０２においてＮｏ）、処理を終了する。
【０１６２】
他方で、第１携帯端末１０２を無線通信（ＬＴＥ）によりインターネット（ＬＴＥ）接続する（ステップＳ４０１）。次に第１携帯端末１０２は、第１複合機２０２と第１携帯端末１０２との近距離無線通信(ＮＦＣ)接続を確認する（ステップＳ４０２）。
【０１６３】
近距離無線通信(ＮＦＣ)で接続されている場合には（ステップＳ４０３においてＹｅｓ）、ステップＳ４０４に進む。一方で、近距離無線通信(ＮＦＣ)で接続されていない場合には（ステップＳ４０３においてＮｏ）、処理を終了する。
【０１６４】
ステップＳ３０３では第１複合機２０２が第１携帯端末１０２に対して、第１複合機２０２のアドレスを表すデータである第１アドレスデータ（例えば、IPアドレス／メールアドレス）を近距離無線通信(ＮＦＣ)で送信する（ステップＳ３０３）。ステップＳ４０４では、ステップＳ３０４で送信された第１アドレスデータを、第１携帯端末１０２が近距離無線通信(ＮＦＣ)で受信する。
【０１６５】
次に、第１携帯端末１０２と、第２携帯端末３０２は無線通信（ＬＴＥ）によりビデオ通話モードにて接続する（ステップＳ４０５）。そして、第１携帯端末１０２は、第２携帯端末３０２とビデオ通話モードで接続されると、かかる接続が確立された否かを表す情報である接続情報を第１複合機２０２に対して送信する。このステップＳ４０５において、第１携帯端末１０２のディスプレイ１２３に表示される情報の一例が、図５の左上に図示される。かかる画面には、通話相手である第２携帯端末３０２のユーザの画像と、「ビデオ通話中です」との案内及び各複合機と各携帯端末が近距離無線通信(ＮＦＣ)接続されているかを確認中であることを確認中であるとの案内が表示される。
【０１６６】
更に、第１携帯端末１０２は、第２携帯端末３０２が、第２複合機４０２と近距離無線通信(ＮＦＣ)接続されているかを確認する（ステップＳ４０６）。具体的には、第１携帯端末１０２が第２携帯端末３０２に問合せを行う。そして、その返信として、第２携帯端末３０２が第２複合機４０２と近距離無線通信(ＮＦＣ)接続されているか否かを表す情報である接続情報を受信する。そして、受信した接続情報の内容を参照することにより、第２携帯端末３０２が、第２複合機４０２と近距離無線通信(ＮＦＣ)接続されているかを確認する。また、第１携帯端末１０２は受信した接続情報を第１複合機２０２に転送する。
【０１６７】
近距離無線通信(ＮＦＣ)接続されていない場合には（ステップＳ４０７においてＮｏ）、第１携帯端末１０２はステップＳ４０２に戻り、再度処理を継続する。一方で、ビデオ通話モードで接続されている場合には（ステップＳ４０７においてＹｅｓ）、第１携帯端末１０２はステップＳ４０８に進む。
【０１６８】
第１複合機２０２は、第１携帯端末１０２と、第２携帯端末３０２がビデオ通話モードにて接続しているか否かを確認する。具体的には、ステップＳ４０５において送信された接続情報を参照することにより確認をする（ステップＳ３０４）。
【０１６９】
ビデオ通話モードで接続されていない場合には（ステップＳ３０５においてＮｏ）、第１複合機２０２はステップＳ３０２に戻り、再度処理を継続する。一方で、ビデオ通話モードで接続されている場合には（ステップＳ３０５においてＹｅｓ）、第１複合機２０２はステップＳ３０６に進む。
【０１７０】
ステップＳ３０６では、第１複合機２０２は、第２携帯端末３０２と、第２複合機４０２が近距離無線通信(ＮＦＣ)接続しているか否かを確認する。具体的には、ステップＳ４０６において送信された接続情報を参照することにより確認をする（ステップＳ３０６）。
【０１７１】
近距離無線通信(ＮＦＣ)接続されていない場合には（ステップＳ３０７においてＮｏ）、第１複合機２０２はステップＳ３０２に戻り、再度処理を継続する。一方で、ビデオ通話モードで接続されている場合には（ステップＳ３０７においてＹｅｓ）、第１複合機２０２はステップＳ３０８に進む。
【０１７２】
以上の動作により、第１携帯端末１０２と第１複合機２０２の近距離無線通信、第１携帯端末１０２と第２携帯端末３０２のインターネット５００を介した通信、及び、第２携帯端末３０２と第２複合機４０２の近距離無線通信が確立している状態である「全通信確立状態」となっていることを、第１携帯端末１０２及び第１複合機２０２は把握する。
【０１７３】
次に、図３−２を参照すると、第１携帯端末１０２は第２複合機４０２のアドレスを表す情報である第２アドレスデータ（例えば、IPアドレス／メールアドレス）を無線通信（ＬＴＥ）で第２携帯端末３０２から受信する（ステップＳ４０８）。
【０１７４】
そして、第１携帯端末１０２は、受信した第２アドレスデータを第１複合機２０２に転送する（ステップＳ４０９）。
【０１７５】
更に、第１携帯端末１０２は、ステップＳ４０４にて受信した第１アドレスデータを無線通信（ＬＴＥ）で第２携帯端末３０２に対して送信する（ステップＳ４１０）。
【０１７６】
これにより、第１複合機２０２にて読み取った画像データを第２複合機４０２にて印刷することが可能となったので、第１携帯端末１０２のディスプレイ１２３に表示される情報を切り替える。切り替え後の表示の一例が、図５の左下に図示される。かかる画面には、通話相手である第２携帯端末３０２のユーザの画像と、「原稿を送信できます」との案内及び原稿を送信する際の操作の説明が表示される。
【０１７７】
他方、第１複合機２０２は、第２複合機４０２のアドレスを表す情報である第２アドレスデータを、第１携帯端末１０２から近距離無線通信(ＮＦＣ)で受信する（ステップＳ３０８）。
【０１７８】
次に、第１複合機２０２は、第１複合機２０２自身のスキャンキー（コピー／転送ボタン）が押下されたか否かを判定する（ステップＳ３０９）。なお、スキャンキー（コピー／転送ボタン）は、図２−２に表される操作パネル２１０により実現される。
【０１７９】
スキャンキー（コピー／転送ボタン）が押下されていない場合は（ステップＳ３０９においてＮｏ）、ステップＳ３１１に進む。一方で、スキャンキー（コピー／転送ボタン）が押下された場合は（ステップＳ３０９においてＹｅｓ）、ステップＳ３１０に進む。
【０１８０】
ステップＳ３１０では、スキャンキー（コピー／転送ボタン）の押下に応じて、スキャナユニット２４１−１で原稿を読み取り、読み取り画像の変換を行うことによって得た画像データを、第１携帯端末１０２に対して近距離無線通信(ＮＦＣ)で送信する（ステップＳ３１０）。
【０１８１】
ここで、第１携帯端末１０２は、第１複合機２０２から画像データを受信したか否かを確認する（ステップＳ４１１）。
【０１８２】
画像データを受信していない場合には（ステップＳ４１１においてＮｏ）、ステップＳ４１３に進む。一方で、画像データを受信した場合には（ステップＳ４１１においてＹｅｓ）、受信した画像データを第２複合機４０２に転送するために、受信した画像データを無線通信（ＬＴＥ）により第２携帯端末３０２へ送信する。送信した画像データは第２携帯端末３０２から第２複合機４０２に対して近距離無線通信(ＮＦＣ)で転送される。この際に、第１複合機２０２でスキャンすることによって得られた画像データを第２複合機４０２に送信中であることを示すメッセージを第１携帯端末１０２のディスプレイ１２３に表示するようにしても良い。かかる表示の一例が図５の右上に表されている。本例では、原稿を送信中であることが文字により表されている。
【０１８３】
第１携帯端末１０２のユーザは、このようなメッセージを参照することにより、スキャンキー（コピー／転送ボタン）を押下して読み取らせた画像の画像データが第２複合機４０２に転送され、第２携帯端末３０２のユーザが参照可能となることが分かる。
【０１８４】
また、第１携帯端末１０２は、ステップＳ４１３において、インターネット５００及び第２携帯端末３０２を介して、第２複合機４０２から送信された画像データを受信したか否かを判定する（ステップＳ４１３）。かかる判定では、画像データの送信元アドレスが第２アドレスデータにて表されるアドレスと一致していれば、第２複合機４０１から送信された画像データであると判定する。
【０１８５】
第２複合機４０２からの画像データが受信されていない場合は（ステップＳ４１３においてＮｏ）、ステップＳ４０２に戻って処理を継続する。一方で、第２複合機４０２からの画像データを受信した場合は（ステップＳ４１３においてＹｅｓ）、ステップＳ４１４に進む。
【０１８６】
ステップＳ４１４では、第１携帯端末１０２は、ステップＳ４１３において受信した画像データを、第１複合機２０２に対して近距離無線通信(ＮＦＣ)で転送する（ステップＳ４１４）。また、この際、受信した第２複合機４０２からの画像データを印刷中であることを示すメッセージを第１携帯端末１０２のディスプレイ１２３に表示するようにしても良い。かかる表示の一例が図５の右下に表されている。本例では、原稿を受信中であり、まもなく印刷されることが文字により表されている。
【０１８７】
第１携帯端末１０２のユーザは、このようなメッセージを参照することにより、第２携帯端末３０２のユーザが読み取らせた画像の画像データが２００１に送信され、第１携帯端末１０２のユーザが参照可能となることが分かる。
【０１８８】
その後、第１携帯端末１０２はステップＳ４０２に戻り、再度処理を継続する。
【０１８９】
一方、第１複合機２０２は、第１携帯端末１０２を介して、第２複合機４０２から送信された画像データを受信したか否かを判定する（ステップＳ３１２）。かかる判定では、画像データの送信元アドレスが第２アドレスデータにて表されるアドレスと一致していれば、第２複合機４０１から送信された画像データであると判定する。
【０１９０】
第２複合機４０２からの画像データが受信されていない場合は（ステップＳ４１３においてＮｏ）、ステップＳ３０２に戻って処理を継続する。一方で、第２複合機４０２からの画像データを受信した場合は（ステップＳ４１３においてＹｅｓ）、ステップＳ４１４に進む。
【０１９１】
ステップＳ４１４では、受信した第２複合機４０２からの画像データを第１複合機２０２自身の備えるプリンタユニット２４２にて紙等の媒体に印刷する。
【０１９２】
その後、第１複合機２０２はステップＳ３０１に戻り、再度処理を継続する。
【０１９３】
以上説明した、本実施例では、全通信確立状態にあるときは、各機器は占有接続モードとなる。具体的には、第１複合機２０２と第２複合機４０２が２０１、３０１及びインターネット５００を使用して画像データを送受信することにより、第２複合機４０２にてスキャンした画像データを第１複合機２０２で印刷する。のみならず、第１複合機２０２で印刷する画像データは、第２複合機４０２にてスキャンした画像データに限定する。また、第１複合機２０２と第２複合機４０２が２０１、３０１及びインターネット５００を使用して画像データを送受信することにより、第２複合機４０２にてスキャンした画像データを第１複合機２０２で印刷する。のみならず、第２複合機４０２で印刷する画像データは、第１複合機２０２にてスキャンした画像データに限定する。
【０１９４】
こうすることにより、第１実施例と同様の効果を奏する。また、これに加えて、各複合機をインターネット６００に接続する必要がなくなる、という効果を奏する。
【０１９５】
＜第３実施例＞
次に、本発明の実施形態の一具体例である第３実施例について説明する。
図９は、第３実施例である通信システム全体の基本的構成を表す図である。図９を参照すると、本実施例は、第１携帯端末１０３、第１複合機２０３、第２携帯端末３０３、第２複合機４０３、第１Wi-Fi（Wireless Fidelity）ルータ９０１及び第２Wi-Fiルータ９０２を含む。なお、各Ｗｉ−Ｆｉルータは本発明の「中継装置」に相当する。
【０１９６】
ここで、第１携帯端末１０２、第１複合機２０２、第２携帯端末３０２及び第２複合機４０２それぞれの機能は、第１実施例の第１携帯端末１０１、第１複合機２０１、第２携帯端末３０１及び第２複合機４０１と概ね同等であるので、共通する部分に関しては説明を省略する。
【０１９７】
一方で、第２実施例では、第１実施例とは通信網の状況が異なる。具体的には、これら各機器は、第１Wi-Fiルータ９０１及び第２Wi-Fiルータ９０２の何れかと接続される。具体的には、第１携帯端末１０３及び第１複合機２０３は第１Wi-Fiルータ９０１と接続されてＬＡＮ（Local Area Network）を構築する。また、第２携帯端末３０２及び第２複合機４０２は第２Wi-Fiルータ９０２と接続されてＬＡＮを構築する。
【０１９８】
そして、第１Wi-Fiルータ９０１と第２Wi-Fiルータ９０２がインターネット７００を介して接続される。
【０１９９】
このように、本実施例ではインターネット５００及びインターネット６００に直接接続するのではなく、第１Wi-Fiルータ９０１及び第２Wi-Fiルータ９０２を介してインターネット７００に接続する点が他の実現例と異なる。よって、以下の説明では、この通信に関する点について重点的に説明をする。
【０２００】
なお、第１携帯端末１０３と、第１複合機２０３とは近距離型の無線通信（ＮＦＣ：Near field communication）にて、相互に通信可能な状態にて接続されている。
【０２０１】
また、同様に、第２携帯端末３０３と、第２複合機４０３とは近距離型の無線通信（ＮＦＣ）にて、相互に通信可能な状態にて接続されている。
【０２０２】
次に、各機器に含まれる機能ブロックの概略について説明する。図９を参照すると、各機器は第１実施例と同様の機能ブロックを含んでいる。しかしながら、各機器に含まれる無線通信制御部及び通信制御部が、ＦＴＴＨやＬＴＥで通信する機能に代えて、Ｗｉ−Ｆｉで通信する機能を有している点で、第１実施例と異なる。
【０２０３】
また、第１Wi-Fiルータ９０１及び第２Wi-Fiルータ９０２は、Ｗｉ−Ｆｉの規格に準拠したルータである。なお、第１Wi-Fiルータ９０１及び第２Wi-Fiルータ９０２との接続は無線であっても良いが、有線であっても良い。
【０２０４】
続いて、第１携帯端末１０３の基本的構成を表す図である図１０−１を参照して、第１携帯端末１０３及び第２携帯端末３０３に含まれる各機能ブロックについてより詳細に説明する。
【０２０５】
図１０−１を参照すると、無線通信制御部１４０は、第１アドレスデータ記憶部１４１、第１アドレスデータ送信部１４２、第２アドレスデータ記憶部１４３、第２アドレスデータ受信部１４４、送信映像データ記憶部１４５、映像データ送信部１４６、受信映像データ記憶部１４７、映像データ受信部１４８、送信音声データ記憶部１４９、音声データ送信部１５０、受信音声データ記憶部１５１及び音声データ受信部１５２を含む。この点については、第１実施例と同様であるが、各送信部及び各受信部の送信先及び受信先がインターネット５００ではなく第１Wi-Fiルータ９０１となっている点で第１実施例とは異なる。
【０２０６】
その他の各機能ブロックについては、第１実施例と同様なので、説明を省略する。
【０２０７】
続いて、第１複合機２０３の基本的構成を表す図である図１０−２を参照して、第１複合機２０３及び第２複合機４０３に含まれる各機能ブロックについてより詳細に説明する。
【０２０８】
図１０−２を参照すると、通信制御部２５０は、送信画像データ記憶部２５１、画像データ送信部２５２、受信画像データ記憶部２５３及び画像データ受信部２５４を含む。この点については、第１実施例と同様であるが、画像データ送信部２５２及び画像データ受信部２５４の送信先及び受信先がインターネット５００ではなく第１Wi-Fiルータ９０１となっている点で第１実施例とは異なる。
【０２０９】
その他の各機能ブロックについては、第１実施例と同様なので、説明を省略する。
【０２１０】
続いて、図１１−１及び図１１−２のフローチャート並びに図５に表されるイメージ図を参照して本実施例の動作について詳細に説明する。
【０２１１】
ここで、図１１−１に表されるステップＳ第２Wi-Fiルータ９０２乃至５０８は、図４−１に表されるステップＳ１０２乃至１０８と同様であるので、説明を省略する。第１実施例と相違するステップＳ５０１では、インターネット６００と接続していたステップＳ１０２と異なり、第１Wi-Fiルータ９０１を介してインターネット７００に接続する。
【０２１２】
また、図１１−１に表されるステップＳ６０１乃至６０４並びに６０６及び６０７は、図４−１に表されるステップＳ２０１乃至２０４並びに２０６及び２０７と同様であるので、説明を省略する。第１実施例と相違するステップＳ６０５では、インターネット５００を介してビデオ通話モードとなったステップＳ２０５と異なり、第１Wi-Fiルータ９０１、インターネット７００及び第２Wi-Fiルータ９０２を介して第２携帯端末３０３に接続する。
【０２１３】
ここで、図１１−２に表されるステップＳ５０９、５１０、５１２、５１４、５１５及び５１６は、図４−１に表されるステップＳ１０９、１１０、１１２、１１４、１１５及び１１６と同様であるので、説明を省略する。
【０２１４】
第１実施例と相違するステップＳ５１１では、スキャンした画像データをインターネット６００を介して送信していたステップＳ１１１と異なり、スキャンした画像データを、第１Wi-Fiルータ９０１、インターネット７００及び第２Wi-Fiルータ９０２を介して第２複合機４０３に送信する。
【０２１５】
また、第１実施例と相違するステップＳ５１３では、スキャンした画像データをインターネット６００を介して受信していたステップＳ１１３と異なり、スキャンした画像データを、第１Wi-Fiルータ９０１、インターネット７００及び第２Wi-Fiルータ９０２を介して第２複合機４０３から受信する。
【０２１６】
更に、図１１−２に表されるステップＳ６０９、６１１乃至６１４は、図１１−２に表されるステップＳ６０９、６１１乃至６１４と同様であるので、説明を省略する。
【０２１７】
第１実施例と相違するステップＳ６０８では、第２アドレスデータをインターネット５００を介して受信していたステップＳ２０８と異なり、第２アドレスデータを、第１Wi-Fiルータ９０１、インターネット７００及び第２Wi-Fiルータ９０２を介して第２携帯端末３０３から受信する。
【０２１８】
第１実施例と相違するステップＳ６１０では、第１アドレスデータをインターネット５００を介して送信していたステップＳ２１０と異なり、第２アドレスデータを、第１Wi-Fiルータ９０１、インターネット７００及び第２Wi-Fiルータ９０２を介して第２携帯端末３０３へ送信する。
【０２１９】
以上説明した、本実施例では、そして、全通信確立状態にあるときは、各機器は占有接続モードとなる。具体的には、第１複合機２０３と第２複合機４０３が第１Wi-Fiルータ９０１、インターネット７００及び第２Wi-Fiルータ９０２を使用して画像データを送受信することにより、第２複合機４０３にてスキャンした画像データを第１複合機２０３で印刷する。のみならず、第１複合機２０３で印刷する画像データは、第２複合機４０３にてスキャンした画像データに限定する。また、第１複合機２０３と第２複合機４０３が第１Wi-Fiルータ９０１、インターネット７００及び第２Wi-Fiルータ９０２を使用して画像データを送受信することにより、第２複合機４０３にてスキャンした画像データを第１複合機２０３で印刷する。のみならず、第２複合機４０３で印刷する画像データは、第１複合機２０３にてスキャンした画像データに限定する。
【０２２０】
こうすることにより、第１実施例と同様の効果を奏する。また、これに加えて、第１携帯端末１０３及び第２携帯端末３０３がＬＴＥに準拠した通信を行なう機能を有していなくても良い、という効果も奏する。また、ＬＴＥ網の使用料が、従量制である場合に、第１携帯端末１０３及び第２携帯端末３０３がＬＴＥ網の帯域を使用しないことにより、使用料を低減させることができる、という効果も奏する。
【０２２１】
＜第４実施例＞
次に、図１２乃至図１４を参照して第４実施例について説明をする。
本実施例の各機器に含まれる機能ブロックの内容は、第１実施例に含まれる各機器の内容と同等であるので機能ブロックに関しては図示及び説明を省略する。
【０２２２】
一方で、本実施例では全通信確立状態であっても占有接続モードを解除することができる。そして、占有接続モードを解除することにより、ユーザの操作に応じて、相手側の複合機でスキャンされた画像の画像データ以外の画像データも印刷できるようにする点において、第１実施例と異なる。以下の説明では、この点について重点的に説明をする。
【０２２３】
なお、以下の説明では、第１実施例に含まれる各機器と区別するために、第１携帯端末１０１、第１複合機２０１、第２携帯端末３０１及び第２複合機４０１ではなく、第１携帯端末１０４、第１複合機２０４、第２携帯端末３０４及び第２複合機４０４、との名称で各機器を呼ぶ。
【０２２４】
次に、図１２を参照すると、本実施例を実現する場合の一例が表されている。図１２の例では、操作パネル２１０をタッチパネルにより実現している。そして、タッチパネル上には、第１実施例のスキャンキー（コピー／転送ボタン）と同様にスキャンアイコン（コピー／転送ボタン）を設ける。そして、本実施例では、更に、割込みアイコンを設ける。割込みアイコンの詳細な使用方法に関しては後述する。
【０２２５】
また、本実施例では、タッチパネルのサイズが大きくなるような場合も考えられる。そこで、そのような場合には、近距離通信無線通信接続部（携帯端末設置台）をタッチパネルが配置されている面ではなく、図１２に表されているように他の箇所に設けるようにしても良い。
【０２２６】
ここで本実施例では、第１携帯端末１０４と第１複合機２０４の近距離無線通信、第１携帯端末１０４と第２携帯端末３０１のインターネット５００を介した通信、及び、第２携帯端末３０１と第２複合機４０４の近距離無線通信が確立している状態を「全通信確立状態」と呼ぶ。
【０２２７】
そして、全通信確立状態にあるときは、第１複合機２０４と第２複合機４０４がインターネット６００を使用して画像データを送受信することにより、第２複合機４０４にてスキャンした画像データを第１複合機２０４で印刷する。のみならず、原則として第１複合機２０４で印刷する画像データは、第２複合機４０４にてスキャンした画像データに限定する。また、第１複合機２０４と第２複合機４０４がインターネット６００を使用して画像データを送受信することにより、第２複合機４０４にてスキャンした画像データを第１複合機２０４で印刷する。のみならず、原則として第２複合機４０４で印刷する画像データは、第１複合機２０４にてスキャンした画像データに限定する。
【０２２８】
このように、全通信確立状態にあるときは、原則としては、印刷する画像データを相手側の複合機がスキャンした画像に基づく画像データに制限する。しかしながら、ユーザが割込みアイコンの押下があった場合には、印刷する画像データを制限することはせず、相手側の複合機がスキャンした画像に基づく画像データ以外の画像データも印刷可能とする。
【０２２９】
こうすることにより、普段は、他の画像データの印刷を行わないことから、色々な送信元からの画像データが印刷されてしまうことが防止できる。一方で、必要な場合には、相手側の複合機がスキャンした画像に基づく画像データ以外の画像データも印刷することができる。
【０２３０】
また、本実施例では、各携帯端末のディスプレイにもスキャンアイコン（コピー／転送ボタン）を設ける。これにより、各携帯端末からもコピー及び転送の指示を行なうことを可能とする。
【０２３１】
続いて、図１３−１及び図１３−２のフローチャート並びに図３及び図５に表されるイメージ図を参照して本実施例の動作について詳細に説明する。
【０２３２】
ここで、ステップＳ７０１乃至７０８は、図４−１のステップＳ１０１乃至１０８と同様の処理である。また、ステップＳ８０１乃至８０７は、図４−１のステップＳ２０１乃至２０７と同様の処理である。従って、これらのステップに関しての説明は省略する。また、図４−１のステップの番号を読み替えることにより、ステップＳ７０１乃至７０８及びステップＳ８０１乃至８０７を表すフローチャートとなるので、ステップＳ７０１乃至７０８及びステップＳ８０１乃至８０７を表す図面も省略するものとする。
【０２３３】
ただし、ステップＳ８０５では、図１４−１の上段の左に表示例の一例として記載されているように、第１携帯端末１０４に表示を行なうのみならず、図１４−１の上段の右に表示例の一例として記載されているように、第１複合機２０４のタッチパネルにも表示を行なう。この点、この時点では、未だ全通信確立状態とはなっていないので、コピー／プリント／スキャン（Ｅ−ｍａｉｌ送信、ＨＤＤ（Hard disk drive）保存）の４つのアイコンが表示されているものとする。ここで、コピーアイコンが押下された場合には、第１複合機２０４で読み取った画像データが第１複合機２０４により印刷される。また、プリントアイコンが押下された場合には、例えば、図示を省略しているパーソナルコンピュータから送信された画像データが第１複合機２０４により印刷される。更に、スキャン（Ｅ−ｍａｉｌ送信）のアイコンが押下された場合には、第１複合機２０４により読み取った画像が、画像データに変換され、Ｅ−ｍａｉｌに添付して送信される。更に、スキャン（ＨＤＤ保存）アイコンが押下された場合には、第１複合機２０４により読み取った画像が、画像データに変換され、第１複合機２０４内部又は外部のＨＤＤに保存される。
【０２３４】
また、ステップＳ７０１乃至７０８及びステップＳ８０１乃至８０７が実行されたことにより、第１携帯端末１０４と第１複合機２０４の近距離無線通信、第１携帯端末１０４と第２携帯端末３０１のインターネット５００を介した通信、及び、第２携帯端末３０１と第２複合機４０４の近距離無線通信が確立している状態である「全通信確立状態」となっていることを、第１携帯端末１０４及び第１複合機２０４は把握する。
【０２３５】
次に、図１３−１を参照すると、第１携帯端末１０４は、第２複合機４０４のアドレスを表す情報である第２アドレスデータ（例えば、IPアドレス／メールアドレス）を無線通信（ＬＴＥ）で第２携帯端末３０１から受信する（ステップＳ８０８）。
【０２３６】
そして、第１携帯端末１０４は、受信した第２アドレスデータを第１複合機２０４に転送する（ステップＳ８０９）。
【０２３７】
更に、第１携帯端末１０４は、ステップＳ８０４にて受信した第１アドレスデータを無線通信（ＬＴＥ）で第２携帯端末３０１に対して送信する（ステップＳ８１０）。
【０２３８】
これにより、第１複合機２０４にて読み取った画像データを第２複合機４０４にて印刷することが可能となったので、第１携帯端末１０４のディスプレイ１２３に表示される情報を切り替え、ディスプレイにスキャンアイコン（コピー／転送ボタン）を表示する（ステップＳ８１１）。
【０２３９】
切り替え後の表示の一例が、図１４−１の下段の左に図示される。かかる画面では、通話相手である第２携帯端末３０１のユーザの画像と、「原稿を送信できます」との案内及び原稿を送信する際の操作の説明が表示される。加えて、スキャンアイコン（コピー／転送ボタン）が表示され、これにより、第１複合機２０４のみならず第１携帯端末１０４からもコピー及び転送の指示を行なうことを可能とする。なお、図中では、スキャンアイコン（コピー／転送ボタン）を表すボタンを「スキャン」と図示する。
【０２４０】
他方、第１複合機２０４は、第２複合機４０４のアドレスを表す情報である第２アドレスデータを第１携帯端末１０４から近距離無線通信(ＮＦＣ)で受信する（ステップＳ７０９）。これを契機として、第１複合機２０４のタッチパネルに表示する情報も切り替え、割込みアイコン及びスキャンアイコン（コピー／転送ボタン）を表示する（ステップＳ７１０）。切り替え後の表示の一例が、図１４−１の下段の右に図示される。かかる画面では、コピー／プリント／スキャン（Ｅ−ｍａｉｌ送信、ＨＤＤ（Hard disk drive）保存）の４つが使用不可能な状態となる。一方で、割込みアイコン及びスキャンアイコン（コピー／転送ボタン）が有効となる。これらボタンがユーザに押下された場合の処理については後述する。なお、図中では、スキャンアイコン（コピー／転送ボタン）を表すボタンを「スキャン（転送）」と図示する。
【０２４１】
また、第１携帯端末１０４は、第１携帯端末１０４自身が表示しているスキャンアイコン（コピー／転送ボタン）が押下されたか否かを判定する（ステップＳ８１２）。
【０２４２】
ここで、第１携帯端末１０４自身が表示しているスキャンアイコン（コピー／転送ボタン）が押下されていない場合には（ステップＳ８１２においてＮｏ）、ステップＳ８１４に進む。
【０２４３】
一方で、第１携帯端末１０４自身が表示しているスキャンアイコン（コピー／転送ボタン）が押下された場合には（ステップＳ８１２においてＹｅｓ）、ステップＳ８１３に進む。
【０２４４】
ステップＳ８１３では、スキャンを行なう旨の指示である、スキャン指示信号を送信する。
【０２４５】
他方、第１複合機２０４は、第１複合機２０４自身が表示するスキャンアイコン（コピー／転送ボタン）が押下されたか否かを判定する（ステップＳ７１１）。
【０２４６】
第１複合機２０４自身が表示するスキャンアイコン（コピー／転送ボタン）が押下されていない場合は（ステップＳ７１１においてＮｏ）、ステップＳ７１２に進む。一方で、第１複合機２０４自身が表示するスキャンアイコン（コピー／転送ボタン）が押下された場合は（ステップＳ７１０においてＹｅｓ）、ステップＳ７１３に進む。
【０２４７】
ステップＳ７１２では、第１携帯端末１０４からスキャン指示信号を受信したか否かを判定する。ここで、スキャン指示信号を受信していない場合には（ステップＳ７１２においてＮｏ）ステップＳ７１５に進む。この場合は、つまり、第１複合機２０４が表示するスキャンアイコン（コピー／転送ボタン）も、第１携帯端末１０４が表示するスキャンアイコン（コピー／転送ボタン）も押下されていない場合となる。
【０２４８】
一方で、スキャン指示信号を受信している場合には（ステップＳ７１２においてＹｅｓ）ステップＳ７１３に進む。
【０２４９】
ここで、ステップＳ７１３に進む場合は、つまり、第１複合機２０４が表示するスキャンアイコン（コピー／転送ボタン）か、第１携帯端末１０４が表示するスキャンアイコン（コピー／転送ボタン）の何れかが押下された場合となる。そのため、ステップＳ７１３では、第１複合機２０４が画像をスキャンし、スキャンした画像を画像データに変換後、変換後の画像データをインターネット６００を介して第２複合機４０４に対して送信する。
【０２５０】
また、ステップＳ７１３おける送信を行ったこと、つまり、スキャンすることによって得られた画像データが第２複合機４０４で送信中であることを示す信号である送信信号を第１携帯端末１０４に対して近距離無線通信(ＮＦＣ)で送信する（ステップＳ７１４）。
【０２５１】
ここで、第１携帯端末１０４は、第１複合機２０４から送信信号を受信したか否かを確認する（ステップＳ８１４）。
【０２５２】
送信信号を受信していない場合には（ステップＳ８１４おいてＮｏ）、ステップＳ８１６に進む。一方で、送信信号を受信した場合には（ステップＳ８１４においてＹｅｓ）、第１複合機２０４でスキャンすることによって得られた画像データが第２複合機４０４に送信中であることを示すメッセージを第１携帯端末１０４のディスプレイ１２３に表示する。かかる表示の一例が図１４−２上段の左に表されている。本例では、原稿を送信中であることが文字により表されている。
【０２５３】
第１携帯端末１０４のユーザは、このようなメッセージを参照することにより、第１複合機２０４が表示するスキャンアイコン（コピー／転送ボタン）か、第１携帯端末１０４が表示するスキャンアイコン（コピー／転送ボタン）の何れかを押下して読み取らせた画像の画像データが第２複合機４０４に送信され、第２携帯端末３０１のユーザが参照可能となることが分かる。
【０２５４】
次に、図１３−２を参照すると、第１複合機２０４は、第１複合機２０４自身が表示する割込みアイコンが押下されたか否かを判定する（ステップＳ７１５）。
【０２５５】
ここで、第１複合機２０４自身が表示する割込みアイコンが押下されていない場合には（ステップＳ７１５においてＮｏ）、ステップＳ７１９に進む。
【０２５６】
一方で、第１複合機２０４自身が表示する割込みアイコンが押下された場合には（ステップＳ７１５においてＹｅｓ）、ステップＳ７１６に進む。
【０２５７】
ステップＳ７１６では、全通信確立状態であるが、占有接続モードを解除する。具体的には、コピー／プリント／スキャン（Ｅ−ｍａｉｌ送信、ＨＤＤ（Hard disk drive）保存）の４つのアイコンを第１複合機２０４が表示する。これにより、スキャンアイコン（コピー／転送ボタン）に加えて、コピー／プリント／スキャン（Ｅ−ｍａｉｌ送信、ＨＤＤ（Hard disk drive）保存）の４つのアイコンも利用可能となる。また、割込みアイコンは、割込み解除アイコンに変化する。かかる表示の一例が図１４−２上段の右に表されている。本例では、これらアイコンが全て使用可能な状態で表示されている。
【０２５８】
この状態で、コピーアイコンが押下された場合には、第１複合機２０４で読み取った画像データが第１複合機２０４により印刷される。また、プリントアイコンが押下された場合には、例えば、図示を省略しているパーソナルコンピュータから送信された画像データが第１複合機２０４により印刷される。更に、スキャン（Ｅ−ｍａｉｌ送信）のアイコンが押下された場合には、第１複合機２０４により読み取った画像が、画像データに変換され、Ｅ−ｍａｉｌに添付して送信される。更に、スキャン（ＨＤＤ保存）アイコンが押下された場合には、第１複合機２０４により読み取った画像が、画像データに変換され、第１複合機２０４内部又は外部のＨＤＤに保存される。
【０２５９】
次に、第１複合機２０４は、第１複合機２０４自身が表示する割込み解除アイコンが押下されたか否かを判定する（ステップＳ７１７）。
【０２６０】
ここで、第１複合機２０４自身が表示する割込み解除アイコンが押下されていない場合には（ステップＳ７１７においてＮｏ）、ステップＳ７１９に進む。
【０２６１】
一方で、第１複合機２０４自身が表示する割込み解除アイコンが押下された場合には（ステップＳ７１７においてＹｅｓ）、ステップＳ７１８に進む。
【０２６２】
ステップＳ７１８では、コピー／プリント／スキャン（Ｅ−ｍａｉｌ送信、ＨＤＤ（Hard disk drive）保存）の４つのアイコンを消去する等の方法により、これら４つのアイコンを使用できない状態とする。すなわち、これら４つのアイコンに紐付けられている機能を使用できない状態とする。また、併せて割込み解除アイコンを割込みアイコンに変化させる。これにより、占有接続モードに再度戻ることとなる。
【０２６３】
また、第１複合機２０４は、ステップＳ７１９において、第１複合機２０４がインターネット６００を介して、第２複合機４０４から送信された画像データを受信したか否かを判定する。かかる判定では、画像データの送信元アドレスが第２アドレスデータにて表されるアドレスと一致していれば、第２複合機４０１から送信された画像データであると判定する。
【０２６４】
第２複合機４０４からの画像データが受信されていない場合は（ステップＳ７２０においてＮｏ）、ステップＳ７０２に戻って処理を継続する。一方で、第２複合機４０４からの画像データを受信した場合は（ステップＳ７２０においてＹｅｓ）、ステップＳ７２１に進む。
【０２６５】
ステップＳ７２１では、受信した第２複合機４０４からの画像データを第１複合機２０４自身の備えるプリンタユニット２４２にて紙等の媒体に印刷する。
【０２６６】
また、ステップＳ７２１における印刷を行ったこと、つまり、受信した第２複合機４０４からの画像データを印刷中であることを示す信号である送信信号を第１携帯端末１０４に対して近距離無線通信(ＮＦＣ)で送信する。そして、ステップＳ７０２に戻って処理を継続する。
【０２６７】
ここで、第１携帯端末１０４は、第１複合機２０４から受信信号を受信したか否かを確認する（ステップＳ８１６）。
【０２６８】
受信信号を受信していない場合には（ステップＳ８１６においてＮｏ）、ステップＳ８０２に戻って処理を継続する。一方で、受信信号を受信した場合には（ステップＳ８１６においてＹｅｓ）、受信した第２複合機４０４からの画像データを印刷中であることを示すメッセージを第１携帯端末１０４のディスプレイ１２３に表示する。かかる表示の一例が図１４−２の下段の左に表されている。本例では、原稿を受信中であり、まもなく印刷されることが文字により表されている。
【０２６９】
第１携帯端末１０４のユーザは、このようなメッセージを参照することにより、第２携帯端末３０１のユーザが読み取らせた画像の画像データが２００１に送信され、第１携帯端末１０４のユーザが参照可能となることが分かる。
【０２７０】
以上説明した、本実施例では、第１実施例と同様の効果を奏する。どれと同時に、割込みアイコンの押下に応じて、占有接続モードを解除することにより、ユーザが必要であれば、相手側の複合機がスキャンした画像の画像データ以外の画像データも印刷をすることが可能となる、という効果も奏する。つまり、占有接続モードをユーザの求めに応じて任意に解除することが可能となる。
【０２７１】
＜構成例＞
以上説明した各実施例は、例えば以下のような構成により実現することが可能である。
［構成例１］
スキャナと、画像データ送信手段と、近距離無線通信手段とを備える画像データ通信装置であって、
前記近距離無線通信手段により、画像データ通信装置がビデオ通話可能な第一携帯端末と通信接続され、
前記第一携帯端末が、第二携帯端末とビデオ通話可能な状態で無線通信接続され、かつ、前記第二携帯端末が、プリンタと、画像データ受信手段と、近距離無線通信手段とを備える第二画像データ通信装置に対して近距離無線通信接続されている時、前記画像データ通信装置が、該画像データ通信装置のスキャナで読取られた画像データを、第二画像データ通信装置に自動送信することを特徴とする画像データ通信装置。
【０２７２】
［構成例１の構成とした場合に奏する効果］
自分の携帯端末と近距離無線接続された複合機のスキャナで読み取られた画像データが、特別な操作なしで、自動的にビデオ通話相手の携帯端末に近距離無線接続された複合機のプリンタで印刷されるので、通話で必要とされる原稿などの画像データを、会話を中断させることなく、ビデオ通話相手にスピーディーかつ確実に送ることができる。
【０２７３】
近距離無線通信は、人の手が届く程度（例えば1ｍ未満）の範囲の通信装置としか通信接続されないため、ほぼ１対１の接続が可能となるため、意図しない別の複合機と通信装置が通信接続されることはない。そのため、意図しない別のスキャナで読み取られた画像データがビデオ通話先へ送信されることがなく、ユーザの混乱を防ぐとともに、必要最小限の操作で確実にドキュメント画像を送付できる。
【０２７４】
［構成例２］
構成例１に記載の画像データ通信装置において、
前記画像データ通信装置が、前記第二画像データ通信装置へ画像データを送信した時、第一携帯端末に送信信号を送ることを特徴とする画像データ通信装置。
【０２７５】
［構成例２の構成とした場合に奏する効果］
第一携帯端末を使用しているユーザは、画像データ通信装置が、前記第二画像データ通信装置へ画像データを送信したことを把握できる。
【０２７６】
［構成例３］
プリンタと、画像データ受信手段と、近距離無線通信手段とを備える画像データ通信装置であって、
前記近距離無線通信手段により、画像データ通信装置がビデオ通話可能な第一携帯端末と通信接続され、
前記第一携帯端末が、第二携帯端末とビデオ通話可能な状態で無線通信接続され、かつ、前記第二携帯端末が、スキャナと、画像データ送信手段と、近距離無線通信手段とを備える第二画像データ通信装置に対して近距離無線通信接続されている時、前記画像データ通信装置のプリンタが、前記第二画像データ通信装置のスキャナで読取られた画像データを自動印刷することを特徴とする画像データ通信装置。
【０２７７】
［構成例３の構成とした場合に奏する効果］
ビデオ通話相手の携帯端末に近距離無線接続された複合機のスキャナで読み取られた画像データが、特別な操作なしで、自分の携帯端末と近距離無線接続された複合機のプリンタで、自動的に印刷されるので、通話で必要とされる原稿などの画像データを、会話を中断させることなく、ビデオ通話相手からスピーディーかつ確実に受け取ることができる。
【０２７８】
近距離無線通信は、人の手が届く程度（例えば1ｍ未満）の範囲の通信装置としか通信接続されないため、ほぼ１対１の接続が可能となるため、ビデオ通話相手から送られてきた画像データが、意図しない別のプリンタで印刷されることがなく、ユーザの混乱を防ぐとともに、必要最小限の操作で確実にドキュメント画像を受け取れる。
【０２７９】
［構成例４］
構成例３に記載の画像データ通信装置において、
前記プリンタで印刷される画像が、前記第二画像データ通信装置から送信された画像データに限定されることを特徴とする画像データ通信装置。
【０２８０】
［構成例４の構成とした場合に奏する効果］
ビデオ通話中に、画像データ通信装置を共有する他ユーザの画像データの印刷を防止しているので、通話相手から送られる画像データの印刷物と、他ユーザの印刷物混ざることを防止できる。
【０２８１】
［構成例５］
構成例３に記載の画像データ通信装置において、
第一携帯端末を使用しているユーザは、前記画像データ通信装置が、前記第二画像データ通信装置から送信された画像データを受信した時、第一携帯端末に受信信号を送ることを特徴とする画像データ通信装置。
［構成例５の構成とした場合に奏する効果］
画像データ通信装置が、前記第二画像データ通信装置へ画像データを送信したことを把握できる。
【０２８２】
［構成例６］
スキャナと、プリンタと、画像データ送受信手段と、近距離無線通信手段とを備える第一および第二画像データ通信装置と、
前記第一および第二画像データ通信装置と各々近距離無線通信接続可能な近距離無線通信手段を備え、ビデオ通話モードで接続可能な第一および第二携帯端末と、を含み、
前記第一および第二携帯端末どうしが、ビデオ通話モードで接続されている時、第一画像データ通信装置のスキャナで読み取られた原稿の画像データが、自動的に第二画像データ通信装置のプリンタで印刷される画像データ自動送信印刷機能を有することを特徴とする画像データ通信システム。
【０２８３】
［構成例６の構成とした場合に奏する効果］
システムとすることにより、送信側受信側が何れであっても、他方の画像データ通信装置で読み取った画像データを、他方の画像データ通信装置でプリントすることが可能となる。
【０２８４】
＜変形例＞
また、上述した実施例は、本発明の好適な実施例ではあるが、上記実施例のみに本発明の範囲を限定するものではなく、本発明の要旨を逸脱しない範囲において種々の変更を施した形態での実施が可能である。
例えば、以下のような変更が可能である。
【０２８５】
上述した各実施例の、ステップＳ１１４、Ｓ３１２、Ｓ５１４、Ｓ７２０においては、第１複合機は、第２複合機から送信された画像データが有るか否かを判定している。そして、第１複合機が受信した画像データの送信元を表す情報が、予め受信していた第２複合機の第２アドレスデータが表す情報と同一であれば、この受信した画像データは、第２複合機から送信された画像データであると判断して、この画像データを印刷の対象としていた。
【０２８６】
これを変形して、第１複合機が受信した画像データの送信元を表す情報と、予め受信していた第２複合機の第２アドレスデータが表す情報とが、同一の場合だけではなく、こられの情報が対応する関係にある場合も、第２複合機から送信された画像データであると判断するようにしても良い。
【０２８７】
この点ついて説明する。予め取得していた第２アドレスデータが表す情報が、第２複合機のＩＰアドレスであったとする。この場合には、第２アドレスデータが表す情報と、第２複合機から受信した画像データの送信元を表す送信元ＩＰアドレスは、同一となる。
【０２８８】
これは、ＩＰアドレスに代えて、メールアドレスを使用して通信を行なう場合も同様である。つまり、予め取得していた第２アドレスデータが表す情報が、第２複合機のメールアドレスであったとする。この場合には、第２アドレスデータが表す情報と、第２複合機から受信した画像データの送信元を表すメールアドレスとは同一となる。
【０２８９】
しかしながら、第２複合機が送信した画像データの送信元を表す情報（例えば、送信元ＩＰアドレスや、送信元メールアドレス）が、予め受信していた第２複合機の第２アドレスデータが表す情報（例えば、ＩＰアドレスや、メールアドレス）と同一とはならない場合も考えられる。
【０２９０】
これは、第２アドレスデータが表す情報が、第２複合機のＵＲＬであるような場合である。この場合には、第２アドレスデータが表す情報はＵＲＬであり、第２複合機が送信した画像データの送信元を表す情報は送信元ＩＰアドレスとなるので、これら２つの情報は同一とはならない。
【０２９１】
しかしながら、ＤＮＳ（Domain Name System）サーバを参照して、第２通信装置のＵＲＬに対応するＩＰアドレスを取得するならば、この取得したＩＰアドレスは、第２複合機が送信した画像データの送信元ＩＰアドレスと同一となる。
【０２９２】
よって、このような場合には、第２アドレスデータが表す情報と、第２複合機が送信した画像データの送信元を表す情報は同一ではないが、対応するものであるとして、受信した画像データが、第２複合機から送信された画像データであると判断するようにしても良い。そして、この画像データを、印刷をする対象とすれば良い。
【０２９３】
また、他にも第２アドレスデータが表す情報が、第２複合機のＩＰアドレスとポート番号である場合も考えられる。この場合に、第２複合機が、第２アドレスデータが表す情報により特定されるポート番号以外のポート番号を送信元として画像データを送信することも考えられる。そうすると、第２アドレスデータが表す情報と、画像データの送信元を表す情報は同一とはならない。しかし、ポート番号が異なるのみで、画像データの送信元は第２複合機であることには変わりはない。
【０２９４】
よって、このような場合にも、同一ではないが、対応するものであるとして、受信した画像データが、第２複合機から送信された画像データであると判断するようにしても良い。そして、この画像データを、印刷をする対象としても良い。
【０２９５】
このようにすることにより、より柔軟に送信元の認証を行なうことが可能となる。
【０２９６】
更に、他の変形例について説明する。
【０２９７】
ステップＳ１１４、Ｓ３１２、Ｓ５１４、Ｓ７２０においては、第１複合機が主体となって認証を行っていたが、認証を行なう主体を第１携帯端末としても良い。
【０２９８】
まず、上述した実施例のように第１複合機が主体となって認証を行なう場合について図１５−１を参照して説明する。なお、図１５−１乃至図１５−４及びこれらの図を参照して行なう説明でが、各装置に第１の実施例で使用した符号を付している。ただし、これは説明のための一例に過ぎず、本変形例は第１の実施例以外の他の実施例にも適用することができる。
【０２９９】
図１５−１を参照すると、まず第１複合機２０１は、第１携帯端末１０１及び第２携帯端末３０１を介して、第２複合機４０１に対して、第１複合機２０１のアドレスを表す情報である第１アドレスデータを送信する（Ａ１１）。本例では、第１複合機２０１のアドレスは、ＩＰ＃１であるとする。
【０３００】
また、第２複合機４０１は、第２携帯端末３０１及び第１携帯端末１０１を介して、第１複合機２０１に対して、第２複合機４０１のアドレスを表す情報である第２アドレスデータを送信する（Ａ１２）。本例では、第１複合機２０１のアドレスは、ＩＰ＃２であるとする。
【０３０１】
次に、第２複合機４０１は、宛先ＩＰアドレスをＩＰ＃１’、送信元ＩＰアドレスをＩＰ＃２’として画像データを第１複合機２０１に送信する（Ａ１３）。ここで、ＩＰ＃１はＩＰ＃１’と同一であり、ＩＰ＃２はＩＰ＃２’と同一であるが、それぞれを区別するために、画像データの宛先ＩＰアドレス及び送信元ＩＰアドレスには、「’」を付す。
【０３０２】
画像データを受信した第１複合機２０１は、第２アドレスデータにより表されるＩＰ＃２と、画像データの送信元ＩＰアドレスであるＩＰ＃２’を比較することにより認証を行なう。そして、両者が同一又は対応するものであれば、受信した画像データの送信元は、第２複合機４０１であると判断して、この画像データを印刷する（Ａ１４）。
【０３０３】
また仮に、認証の結果、受信した画像データの送信元が第２複合機４０１ではないと判断したのならば、この画像データの印刷は行わない。
【０３０４】
なお、認証は、上述したように、第２アドレスデータにより表されるＩＰ＃２と、画像データの送信元ＩＰアドレスであるＩＰ＃２’を比較することにより行っても良いが、第１アドレスデータにより表されるＩＰ＃１と、画像データの宛先ＩＰアドレスであるＩＰ＃１’を比較することにより行っても良い。更に、ＩＰ＃２と、ＩＰ＃２’の比較及びＩＰ＃１と、ＩＰ＃１’の比較の双方の比較を行なうことにより行っても良い。
【０３０５】
次に、認証を行なう主体を第１携帯端末１０１とした場合の動作について、図１５−２を参照して説明する。
【０３０６】
図１５−２を参照すると、まず、第１複合機２０１が、第１携帯端末１０１及び第２携帯端末３０１を介して、第１複合機２０１に対して、第１複合機２０１のアドレスを表す情報である１２アドレスデータを送信する（Ａ２１）。そして、送信先の第２複合機４０１のみならず、通信経路に存在する第１携帯端末１０１及び第２携帯端末３０１も第１アドレスデータを記憶する。
【０３０７】
また、第２複合機４０１が、第２携帯端末３０１及び第１携帯端末１０１を介して、第１複合機２０１に対して、第２複合機４０１のアドレスを表す情報である第２アドレスデータを送信する（Ａ２２）。そして、送信先の第１複合機２０１のみならず、通信経路に存在する第２携帯端末３０１及び第１携帯端末１０１も第２アドレスデータを記憶する。
【０３０８】
次に、第２複合機４０１は、宛先ＩＰアドレスをＩＰ＃１’、送信元ＩＰアドレスをＩＰ＃２’として画像データを第１複合機２０１に送信する。そして、第１複合機２０１は、上記のＡ２３において第２複合機４０１から送信された画像データを受信すると、かかる画像データを印刷することなく、そのまま第１携帯端末１０１に転送する（Ａ２３）。
【０３０９】
そして、第１携帯端末１０１が、転送されてきた画像データの送信元ＩＰアドレスが、予め受信していた第２複合機４０１の第２アドレスデータが表す情報と同一又は対応するものであるか判断することにより認証を行なう。具体的には、第２アドレスデータにより表されるＩＰ＃２と、画像データの送信元ＩＰアドレスであるＩＰ＃２’を比較することにより認証を行なう（Ａ２４）。なお、認証時にＩＰ＃２と、ＩＰ＃２’の比較及びＩＰ＃１と、ＩＰ＃１’の比較の双方の比較を行なうようにしても良いのは、図１５−１を参照して説明した場合と同様である。
【０３１０】
そして、認証の結果、転送されてきた画像データの送信元が第２複合機４０１であると判断したのならば、転送されてきた画像データを第１複合機２０１に送信すると共に、この画像データを印刷するように第１複合機２０１に対して指示を出す（Ａ２５）。そして、これを受けた第１複合機２０１は画像データを印刷する。
【０３１１】
また、認証の結果、受信した画像データの送信元が第２複合機４０１ではないと判断したのならば、第１複合機２０１に対する画像データの送信や、第１複合機２０１に対する印刷指示は行わない。
【０３１２】
こうすることにより、第１携帯端末１０１による認証を実現することができる。これにより、第１複合機２０１は画像データの転送及び第１携帯端末１０１からの指示に応じた印刷を行えば良い。つまり、第１複合機２０１に認証処理を行なうための機能を追加する必要がなくなることから、第１複合機２０１のソフトウェアの改変を小さなものにとどめることが可能となる。
【０３１３】
ただし、近距離無線通信の方式によっては、画像データを、第１複合機２０１及び第１携帯端末１０１間で送受信するに時間を要するような場合も考えられる。このような場合には、Ａ２３、Ａ２４及びＡ２５を以下のように変形すると良い。
【０３１４】
まず、Ａ２３において、第１複合機２０１は、画像データは転送することなく、画像データの宛先ＩＰアドレスＩＰ＃１’及び送信元ＩＰアドレスＩＰ＃２’を表す情報を含んだデータを認証用データとして生成する。そして、この生成した認証用データを第１携帯端末１０１に送信する。また、画像データは、第１複合機２０１が記憶しておく。
【０３１５】
そして、認証データを受信した第１携帯端末１０１は、この認証用データに含まれる情報により表される送信元ＩＰアドレスＩＰ＃２’が、第２アドレスデータにより表される第２複合機４０１のアドレスＩＰ＃２と同一又は対応するかを判断することにより認証を行なう（Ａ２４）。
【０３１６】
そして、認証の結果、画像データの送信元が第２複合機４０１であると判断したのならば、この画像データを印刷するように第１複合機２０１に対して指示を出す（Ａ２５）。そして、これを受けた第１複合機２０１は、第１複合機２０１自身が記憶していた画像データを印刷する。
【０３１７】
また、認証の結果、画像データの送信元が第２複合機４０１ではないと判断したのならば、第１複合機２０１に対する印刷指示は行わない。
【０３１８】
こうすることにより、ＩＰアドレス等を表す情報と比較してデータ量が大きいデータである、画像データを第１複合機２０１及び第１携帯端末１０１間で送受信する必要がなくなる。
【０３１９】
次に、他の変形例として、各複合機のＩＰアドレスを用いて認証を行なうのではなく、
他の情報を用いて認証を行なう変形例について図１５−３及び図１５−４を参照して説明する。
【０３２０】
認証に用いる、ＩＰアドレス以外の情報としては、例えば、各携帯端末のユーザを一意に識別するための識別子である、ユーザＩＤを使用することが考えられる。
【０３２１】
ユーザＩＤは、例えば、各携帯端末が保持する情報により表されるとする。具体的には、各携帯端末が保持している、携帯端末の電子メールアドレスや、コンビニ・チェーンにおけるユーザＩＤ等の情報を、ユーザＩＤとして使用する。
【０３２２】
このように、ユーザＩＤを使用する場合であって、第１複合機２０１が主体となって認証を行なう場合について、図１５−３を参照して説明する。なお、第１携帯端末１０１のユーザのユーザＩＤは、ＩＤ＃３であり、第２携帯端末３０１のユーザのユーザＩＤは、ＩＤ＃４であるとする。
【０３２３】
図１５−３を参照すると、まず第１複合機２０１は、第１携帯端末１０１に対して、第１複合機２０１のアドレスを表す情報である第１アドレスデータを送信する（Ａ３１）。
【０３２４】
第１アドレスデータを受信した第１携帯端末１０１は、第２携帯端末３０１を介して、第２複合機４０１に対して、第１アドレスデータ及び第１携帯端末１０１のユーザのユーザＩＤであるＩＤ＃３を送信する（Ａ３２）。
【０３２５】
また、第１携帯端末１０１は、第１複合機２０１に対しても、第１携帯端末１０１のユーザのユーザＩＤであるＩＤ＃３を送信する（Ａ３３）。
【０３２６】
更に、第２複合機４０１は、第２携帯端末３０１に対して、第２複合機４０１のアドレスを表す情報である第２アドレスデータを送信する（Ａ３３）。
【０３２７】
第２アドレスデータを受信した第２携帯端末３０１は、第１携帯端末１０１を介して、第１複合機２０１に対して、第２アドレスデータ及び第２携帯端末３０１のユーザのユーザＩＤであるＩＤ＃４を送信する（Ａ３４）。
【０３２８】
また、第２携帯端末３０１は、第２複合機４０１に対しても、第２携帯端末３０１のユーザのユーザＩＤであるＩＤ＃４を送信する（Ａ３５）。
【０３２９】
次に、第２複合機４０１は、宛先ＩＰアドレスをＩＰ＃１’、送信元ＩＰアドレスをＩＰ＃２’としてパケットのＩＰヘッダに記載し、パケットのペイロードに、第１携帯端末１０１のユーザのユーザＩＤであるＩＤ＃３’、第２携帯端末３０１のユーザのユーザＩＤであるＩＤ＃４’及び画像データを含ませてパケットを生成する。そして、生成したパケットを第１複合機２０１に送信する（Ａ３６）。
【０３３０】
画像データを受信した第１複合機２０１は、予め受信している携帯端末のユーザＩＤと、画像データが含まれるパケットのペイロードに記載されている、ユーザＩＤとを比較することにより認証を行なう。例えば、Ａ３５において予め受信している第２携帯端末３０１のユーザＩＤ＃４と、画像データが含まれるパケットのペイロードに記載されている、ユーザＩＤ＃４’を比較する（Ａ３７）。
【０３３１】
そして、両者が同一又は対応するものであれば、受信した画像データの送信元は、第２複合機４０１であると判断して、この画像データを印刷する。
【０３３２】
また仮に、認証の結果、受信した画像データの送信元が第２複合機４０１ではないと判断したのならば、この画像データの印刷は行わない。
【０３３３】
なお、認証は、上述したように、ユーザＩＤ＃４と、ユーザＩＤ＃４’を比較することにより行っても良いが、第１携帯端末１０１のユーザのユーザＩＤであるユーザＩＤ＃３と、ユーザＩＤ＃３’を比較することにより行っても良い。更に、ＩＤ＃４と、ＩＤ＃４’の比較及びＩＤ＃３と、ＩＤ＃３’の比較の双方の比較を行なうことにより認証を行っても良い。
【０３３４】
また、これに加えて、ＩＰ＃２と、ＩＰ＃２’の比較及びＩＰ＃１と、ＩＰ＃１’の比較も行なうことにより認証を行っても良い。つまり、４つの比較の全て、又は何れかの比較を行って認証を行なうようにすれば良い。
【０３３５】
このように、ユーザＩＤの比較も行なうことにより、第１携帯端末１０１や第２携帯端末３０１のユーザとは関係なく、第２複合機４０１から第１複合機２０１に画像データが送信されてしまったような場合に、この第１携帯端末１０１や第２携帯端末３０１のユーザとは関係ない画像データを印刷してしまうことを防止できる。
【０３３６】
次に、認証にユーザＩＤを使用する場合であって、第１携帯端末１０１が主体となって認証を行なう場合について、図１５−４を参照して説明する。
【０３３７】
図１５−４を参照すると、まず第１複合機２０１は、第１携帯端末１０１に対して、第１複合機２０１のアドレスを表す情報である第１アドレスデータを送信する（Ａ４１）。
【０３３８】
第１アドレスデータを受信した第１携帯端末１０１は、第２携帯端末３０１を介して、第２複合機４０１に対して、第１アドレスデータ及び第１携帯端末１０１のユーザのユーザＩＤであるＩＤ＃３を送信する（Ａ４２）。
【０３３９】
また、第１携帯端末１０１は、第１複合機２０１に対しても、第１携帯端末１０１のユーザのユーザＩＤであるＩＤ＃３を送信する（Ａ４３）。
【０３４０】
更に、第２複合機４０１は、第２携帯端末３０１に対して、第２複合機４０１のアドレスを表す情報である第２アドレスデータを送信する（Ａ４３）。
【０３４１】
第２アドレスデータを受信した第２携帯端末３０１は、第１携帯端末１０１を介して、第１複合機２０１に対して、第２アドレスデータ及び第２携帯端末３０１のユーザのユーザＩＤであるＩＤ＃４を送信する（Ａ４４）。
【０３４２】
また、第２携帯端末３０１は、第２複合機４０１に対しても、第２携帯端末３０１のユーザのユーザＩＤであるＩＤ＃４を送信する（Ａ４５）。
【０３４３】
次に、第２複合機４０１は、宛先ＩＰアドレスをＩＰ＃１’、送信元ＩＰアドレスをＩＰ＃２’としてパケットのＩＰヘッダに記載し、パケットのペイロードに、第１携帯端末１０１のユーザのユーザＩＤであるＩＤ＃３’、第２携帯端末３０１のユーザのユーザＩＤであるＩＤ＃４’及び画像データを含ませてパケットを生成する。そして、生成したパケットを第１複合機２０１に送信する（Ａ４６）。
【０３４４】
第１複合機２０１は、上記のＡ４６において第２複合機４０１から送信された、画像データを含んだパケットを受信すると、かかる画像データを印刷することなく、そのまま第１携帯端末１０１に転送する（Ａ４７）。
【０３４５】
そして、第１携帯端末１０１は、予め受信している携帯端末のユーザＩＤと、画像データが含まれるパケットのペイロードに記載されている、ユーザＩＤとを比較することにより認証を行なう。例えば、Ａ４５において予め受信している第２携帯端末３０１のユーザＩＤ＃４と、画像データが含まれるパケットのペイロードに記載されている、ユーザＩＤ＃４’を比較する（Ａ４７）。なお、認証において、ＩＤ＃３と、ＩＤ＃３’の比較、ＩＰ＃２と、ＩＰ＃２’の比較及びＩＰ＃１と、ＩＰ＃１’を更に行なうようにしても良いのは、図１５−３を参照して説明した場合と同様である。
【０３４６】
そして、認証の結果、転送されてきた画像データの送信元が第２複合機４０１であると判断したのならば、転送されてきた画像データを第１複合機２０１に送信すると共に、この画像データを印刷するように第１複合機２０１に対して指示を出す（Ａ４８）。そして、これを受けた第１複合機２０１は画像データを印刷する。
【０３４７】
また、認証の結果、受信した画像データの送信元が第２複合機４０１ではないと判断したのならば、第１複合機２０１に対する画像データの送信や、第１複合機２０１に対する印刷指示は行わない。
【０３４８】
このように、ユーザＩＤの比較も行なうことにより、第１携帯端末１０１や第２携帯端末３０１のユーザとは関係なく、第２複合機４０１から第１複合機２０１に画像データが送信されてしまったような場合に、この第１携帯端末１０１や第２携帯端末３０１のユーザとは関係ない画像データを印刷してしまうことを防止できる。
【０３４９】
なお、近距離無線通信の方式によっては、画像データを、第１複合機２０１及び第１携帯端末１０１間で送受信するに時間を要するような場合も考えられる。このような場合には、Ａ２３、Ａ２４及びＡ２５を変形したのと同様に、Ａ４７、Ａ４８及びＡ４９を変形するようにしても良い。つまり、画像データを第１複合機２０１及び第１携帯端末１０１間で送受信するのではなく、認証用のデータを第１携帯端末１０１に送信するようにしても良い。そして、第１携帯端末１０１は認証の結果に応じて、第１複合機２０１に印刷指示を行なうようにすると良い。
【０３５０】
以上、認証にＩＰアドレス等を使うのではなく、ユーザＩＤを使用した。しかしながら、ユーザＩＤは個人情報であるため、利用者にとってみれば通信に使用することに、心理的な抵抗がある場合も考えられる。これ解決策するため、例えば、各複合機から各携帯端末に個人情報の代わりに利用することができる代替個人情報を与えるようにしても良い。代替個人情報としては、ワンタイムパスワードを生成して、かかるワンタイムパスワードを使用すると良い。
【０３５１】
また、ユーザＩＤのようなユーザ特有の情報を認証に使用するのではなく、認証用に各複合機のアドレス以外の別の情報を用いるようにしても良い。例えば、通信目的のＩＰアドレス等を送受信することとは別に、各複合機の固有情報（例えば。ｍａｃアドレス、通信装置管理番号）を認証用に送受信する。そして、これら各複合機の固有情報を用いて、第１複合機２０１又は第１携帯端末１０１が認証を行なうようにしても良い。
【０３５２】
以上、図１５−１乃至図１５−４を参照して第１複合機２０１又は第１携帯端末１０１が主体となって認証を行なう例を説明したが、図１５−１乃至図１５−４及びこれらの図に関連する説明中の、第１複合機２０１を第２複合機４０１と読み替え、第２複合機４０１を第１複合機２０１と読み替え、第１携帯端末１０１を第２携帯端末３０１と読み替え、第１携帯端末１０１を第２携帯端末３０１と読み替えることにより、第２複合機４０１又は第２携帯端末３０１が主体となって認証を行なう場合の説明となる。
【０３５３】
また、上述した各実施例では、音声データ及び映像データを別個の送信部及び受信部にて別々に送受信していたが、音声データ及び映像データを送信元で結合し、結合後のデータを送信するようにしても良い。
【０３５４】
また、上述した各実施例を組み合わせて実現するようにしても良い。例えば第２実施例や第３実施例の構成にて各機器を接続すると共に、第４実施例のように、占有接続モードを解除可能なようにしても良い。
【０３５５】
また、ＮＦＣ以外位の規格に準拠して近距離無線通信を行なうようにしても良い。ただし、通信可能な範囲が広すぎる通信方式は避けることが望ましい。具体的には、例えば、複合機が複数並んでいるような場合に、想定している複合機ではなく、他の複合機と誤って通信してしまうほど通信範囲が広い通信方式は避けることが望ましい。また同様に、想定している携帯端末以外の携帯端末と複合機とが誤って通信してしまうほど通信範囲が広い通信方式は避けることが望ましい。
【０３５６】
また、オンライン上でエキスパートが手助けしてくれるサービスとしてヘルプアウト(Helpouts)との名称のサービスが提供されている。ヘルプアウトでは、助けが必要なユーザが、助けが必要な分野の専門家とオンラインで接続し、ビデオ通話を行うことにより、専門家のアドバイスを受ける。
【０３５７】
このような分野において、上述の各実施例を利用するようにすると良い。こうすることにより、エキスパートの手元にあるテキストや関連書籍等の画像データを助けが必要なユーザの利用する複合機に送信することが考えられる。これにより、ビデオ通話を行いながらも、必要な資料等を手元で印刷することが可能となる。
【０３５８】
なお、上述した各実施形態に含まれる各機器は、ハードウェア、ソフトウェア又はこれらの組み合わせにより実現することができる。また、上述した各実施形態により行なわれる通信方法も、ハードウェア、ソフトウェア又はこれらの組み合わせにより実現することができる。ここで、ソフトウェアによって実現されるとは、コンピュータがプログラムを読み込んで実行することにより実現されることを意味する。
【０３５９】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory）)を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【産業上の利用可能性】
【０３６０】
本発明は、画像データ等のデータの送受信の用途に好適である。
【符号の説明】
【０３６１】
１０１、１０２、１０３、１０４  第１携帯端末
１１０、３１０  タッチパネル
１２０、３２０  音声映像データ処理部
１２１  カメラ
１２２  送信映像データ変換部
１２３  ディスプレイ
１２４  受信映像データ変換部
１２５  マイク
１２６  送信音声データ変換部
１２７  スピーカ
１２８  受信音声データ変換部
１３０、３３０  携帯端末制御部
１４０、３４０  無線通信制御部
１４１  第１アドレスデータ記憶部
１４２  第１アドレスデータ送信部
１４３  第２アドレスデータ記憶部
１４４  第２アドレスデータ受信部
１４５  送信映像データ記憶部
１４６  映像データ送信部
１４７  受信映像データ記憶部
１４８  映像データ受信部
１４９  送信音声データ記憶部
１５０  音声データ送信部
１５１  受信音声データ記憶部
１５２  音声データ受信部
１５３  送信画像データ記憶部
１５４  画像データ送信部
１５５  受信画像データ記憶部
１５６  及び画像データ受信部
１６０  近距離無線通信制御部
１６１  第２アドレスデータ記憶部
１６２  第２アドレスデータ送信部
１６３  第１アドレスデータ記憶部
１６４  第１アドレスデータ受信部
１６５  送信画像データ記憶部
１６６  画像データ送信部
１６７  受信画像データ記憶部
１６８  画像データ受信部
２０１、２０２、２０３、２０４  第１複合機
２１０、４１０  操作パネル
２２０、４２０  画像データ処理部
２２１  第２アドレスデータ受信部
２２２  第２アドレスデータ記憶部
２２３  第１アドレスデータ送信部
２２４  第１アドレスデータ記憶部
２３０、４３０  複合機制御部
２４０、４４０  通信制御部
２４１  スキャナユニット
２４１−１  画像読取部
２４１−２  送信画像データ変換部
２４２  プリンタユニット
２４２−１  画像形成部
２４２−２  受信画像データ変換部
２５０、４５０  近距離無線通信制御部
２５１  送信画像データ記憶部
２５２  画像データ送信部
２５３  受信画像データ記憶部
２５４  画像データ受信部
３０１、３０２、３０３、３０４  第２携帯端末
４０１、４０２、４０３、４０４  第２複合機
９０１  第１Ｗｉ−Ｆｉルータ
９０２  第２Ｗｉ−Ｆｉルータ
６００、７００、８００  インターネット
【図１】
0006393129.tif 000002
【図２−１】
0006393129.tif 000003
【図２−２】
0006393129.tif 000004
【図３】
0006393129.tif 000005
【図４−１】
0006393129.tif 000006
【図４−２】
0006393129.tif 000007
【図５】
0006393129.tif 000008
【図６】
0006393129.tif 000009
【図７−１】
0006393129.tif 000010
【図７−２】
0006393129.tif 000011
【図８−１】
0006393129.tif 000012
【図８−２】
0006393129.tif 000013
【図９】
0006393129.tif 000014
【図１０−１】
0006393129.tif 000015
【図１０−２】
0006393129.tif 000016
【図１１−１】
0006393129.tif 000017
【図１１−２】
0006393129.tif 000018
【図１２】
0006393129.tif 000019
【図１３−１】
0006393129.tif 000020
【図１３−２】
0006393129.tif 000021
【図１４−１】
0006393129.tif 000022
【図１４−２】
0006393129.tif 000023
【図１５−１】
0006393129.tif 000024
【図１５−２】
0006393129.tif 000025
【図１５−３】
0006393129.tif 000026
【図１５−４】
0006393129.tif 000027